(57)【要約】  所望の機能を選択的に実行することが可能な技術を提供することを目的とする。ＰＣ５１は、画像を表示可能な表示部５２を制御する。制御部５８は、予め規定された第１規定操作が実施されたと判定された場合に、当該実施されたと判定された第１規定操作を、予め定められたアプリケーションの機能を実行するための第１操作として判別する。制御部５８は、第１規定操作の実施を誘導可能な表示アイコンＤｉ１１を表示部５２に表示させる。
2015083264.tif 000002
【特許請求の範囲】
【請求項１】
第１画像を表示可能な表示部を制御する表示制御装置であって、
外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する制御部
を備え、
前記制御部は、
前記第１規定操作の実施を誘導可能な、前記第１画像内の第１アイコン及び第１表示オブジェクトの少なくともいずれか１つを前記表示部に表示させる、表示制御装置。
【請求項２】
請求項１に記載の表示制御装置であって、
前記制御部は、
前記入力部からの出力信号に基づいて、前記第１規定操作が実施される前の行為として予め定義された第１行為が実施されたまたは実施中であると判定された場合に、前記第１画像内の第２アイコンを前記第１アイコンに変形すること、及び、前記第１画像内に前記第１表示オブジェクトを追加することの少なくともいずれか１つを行う、表示制御装置。
【請求項３】
請求項２に記載の表示制御装置であって、
前記第１アイコンは、前記第１規定操作の内容を示す形態で表示される、表示制御装置。
【請求項４】
請求項２に記載の表示制御装置であって、
前記第１行為は、
前記第１規定操作を除く予め定められた操作が前記第２アイコンに対する操作として実施された場合、として定義される、表示制御装置。
【請求項５】
請求項２に記載の表示制御装置であって、
前記第１行為は、
指示体と前記入力部との間の距離が予め定められた第１閾値以下になった場合として定義される、表示制御装置。
【請求項６】
請求項１に記載の表示制御装置であって、
前記第１規定操作は、予め定められた軌道を描く操作を含み、
前記第１アイコンの外枠形状、及び、前記第１表示オブジェクトに含まれる矢印の形状の少なくともいずれか１つと、前記軌道とが対応する、表示制御装置。
【請求項７】
請求項１に記載の表示制御装置であって、
前記制御部は、
前記第１アイコン及び前記第１表示オブジェクトの少なくともいずれか１つをアニメーションによって表示させる、表示制御装置。
【請求項８】
請求項１に記載の表示制御装置であって、
前記第１規定操作は、指示体により前記入力部を予め定められた第１の数の点でタッチする第１タッチ操作を含み、
前記第１表示オブジェクトに含まれる点の数と、前記第１タッチ操作の前記第１の数とが同じである、表示制御装置。
【請求項９】
請求項１に記載の表示制御装置であって、
前記表示部は、
第１方向にて視認可能であるが第２方向にて視認できない画像を前記第１画像として表示することが可能であるとともに、前記第１画像と同じ１つの画面上に、前記第２方向にて視認可能であるが前記第１方向にて視認できない第２画像を表示することが可能であり、
前記第１操作は、
アプリケーションの機能を実行するための前記第１画像に対する操作であり、
前記入力部は、
前記第１操作と、アプリケーションの機能を実行するための前記第２画像に対する第２操作とを一律に受け付け、
前記制御部は、
前記入力部からの出力信号に基づいて、前記第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別し、かつ、前記第２規定操作の実施を誘導可能な、前記第２画像内の第３アイコン及び第２表示オブジェクトの少なくともいずれか１つを前記表示部に表示させる、表示制御装置。
【請求項１０】
請求項９に記載の表示制御装置であって、
前記制御部は、
前記入力部からの出力信号に基づいて、前記第１規定操作が実施される前の行為として予め定義された第１行為が実施されたまたは実施中であると判定された場合に、前記第１画像内の第２アイコンを前記第１アイコンに変形すること、及び、前記第１画像内に前記第１表示オブジェクトを追加することの少なくともいずれか１つを行い、かつ、
前記入力部からの出力信号に基づいて、前記第２規定操作が実施される前の行為として予め定義された第２行為が実施されたまたは実施中であると判定された場合に、前記第２画像内の第４アイコンを前記第３アイコンに変形すること、及び、前記第２画像内に前記第２表示オブジェクトを追加することの少なくともいずれか１つを行う、表示制御装置。
【請求項１１】
請求項１０に記載の表示制御装置であって、
前記第１行為は、
指示体と前記入力部との間の距離が予め定められた第１閾値以下になった場合、または、前記第１規定操作を除く、指示体による前記入力部への予め定められた操作が前記第２アイコンに対する操作として実施された場合、として定義され、
前記第２行為は、
指示体と前記入力部との間の距離が予め定められた第２閾値以下になった場合、または、前記第２規定操作を除く、指示体による前記入力部への予め定められた操作が前記第４アイコンに対する操作として実施された場合、として定義される、表示制御装置。
【請求項１２】
請求項９に記載の表示制御装置であって、
前記第１規定操作は、指示体により前記入力部に予め定められた第１軌道を描く第１ジェスチャー操作を含み、
前記第１アイコンの外枠形状、及び、前記第１表示オブジェクトに含まれる矢印の形状の少なくともいずれか１つと、前記第１ジェスチャー操作の前記第１軌道とが対応する、表示制御装置。
【請求項１３】
請求項１２に記載の表示制御装置であって、
前記第２規定操作は、指示体により前記入力部に前記第１軌道と異なる予め定められた第２軌道を描く第２ジェスチャー操作を含み、
前記第３アイコンの外枠形状、及び、前記第２表示オブジェクトに含まれる矢印の形状の少なくともいずれか１つと、前記第２ジェスチャー操作の前記第２軌道とが対応する、表示制御装置。
【請求項１４】
請求項９に記載の表示制御装置であって、
前記第１規定操作は、指示体により前記入力部を予め定められた第１の数の点でタッチする第１タッチ操作を含み、
前記第１表示オブジェクトに含まれる点の数と、前記第１タッチ操作の前記第１の数とが同じである、表示制御装置。
【請求項１５】
請求項１４に記載の表示制御装置であって、
前記第２規定操作は、指示体により前記入力部を前記第１の数と異なる予め定められた第２の数の点でタッチする第２タッチ操作を含み、
前記第２表示オブジェクトに含まれる点の数と、前記第２タッチ操作の前記第２の数とが同じである、表示制御装置。
【請求項１６】
請求項９に記載の表示制御装置であって、
前記制御部は、
前記第１アイコン、前記第１表示オブジェクト、前記第２アイコン、及び、前記第２表示オブジェクトの少なくともいずれか１つをアニメーションによって表示させる、表示制御装置。
【請求項１７】
第１画像を表示可能な表示部を制御する表示制御方法であって、
（ａ）外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する工程と、
（ｂ）前記工程（ａ）の前に、前記第１規定操作の実施を誘導可能な、前記第１画像内の第１アイコン及び第１表示オブジェクトの少なくともいずれか１つを前記表示部に表示させる工程と
を備える、表示制御方法。
【発明の詳細な説明】
【技術分野】
【０００１】
本発明は、表示部を制御する表示制御装置及び表示制御方法に関するものである。
【背景技術】
【０００２】
画面を見る方向によって異なる画像を一画面に表示可能な多重画像表示装置として、スプリットビュー（マルチビュー、デュアルビュー（登録商標）とも言う）方式の表示装置が知られており、近年、様々な分野においてスプリットビュー表示装置を適用することが提案されている。例えば、スプリットビュー表示装置と、その画面に配設されたタッチパネルとを、車載のナビゲーション装置に適用することが提案されている。このようなナビゲーション装置によれば、運転席側の方向と助手席側の方向とで異なる内容の画像を画面に表示するとともに、当該画像内に表示されているアイコンに対する操作をタッチパネルにて受け付けることが可能となる。【０００３】
しかしながら、上述のようなナビゲーション装置においては、運転席側の方向に表示される画像内のアイコンの位置と、助手席側の方向に表示される画像内のアイコンの位置とがスプリットビュー表示装置の画面上において重なっている場合がある。このような場合には、アイコンに対する操作をタッチパネルにて受け付けたとしても、運転席側の方向に表示されている画像内のアイコンに対して操作が実施されたのか、助手席側の方向に表示されている画像内のアイコンに対して操作が実施されたのかを判別できないという問題があった。【０００４】
そこで、特許文献１には、運転席側の方向に表示される画像内のアイコンの位置と、助手席側の方向に表示される画像内のアイコンの位置とが重ならないように、それらを互いに異なる位置に配置する技術が提案されている。
【先行技術文献】
【特許文献】
【０００５】
【特許文献１】国際公開第２００６／１００９０４号
【発明の概要】
【発明が解決しようとする課題】
【０００６】
しかしながら、例えば、助手席の同乗者が、ドラッグ操作などの比較的広い範囲にわたる操作を実施した場合などには、運転席側の方向に表示されている画像内のアイコンに対して知らないうちに操作を実施してしまうことがあるという問題があった。【０００７】
そこで、本発明は、上記のような問題点を鑑みてなされたものであり、所望の機能を選択的に実行することが可能な技術を提供することを目的とする。
【課題を解決するための手段】
【０００８】
本発明に係る表示制御装置は、第１画像を表示可能な表示部を制御する表示制御装置であって、外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する制御部を備える。制御部は、第１規定操作の実施を誘導可能な、第１画像内の第１アイコン及び第１表示オブジェクトの少なくともいずれか１つを表示部に表示させる。
【発明の効果】
【０００９】
本発明によれば、第１規定操作が実施されたと判定された場合には、当該第１規定操作を第１操作として判別する。したがって、ユーザは、所望の機能を選択的に実行することができる。また、ユーザは、第１アイコン及び第１表示オブジェクトの少なくともいずれか１つの表示を手がかりにして、第１規定操作がどのような操作であるかを操作前に知ることができる。【００１０】
この発明の目的、特徴、態様、および利点は、以下の詳細な説明と添付図面とによって、より明白となる。
【図面の簡単な説明】
【００１１】
【図１】実施の形態１に係るナビゲーション装置の構成の一例を示すブロック図である。
【図２】実施の形態１に係るスプリットビュー表示部の構成の一例を示す断面図である。
【図３】実施の形態１に係るスプリットビュー表示部の表示例を示す図である。
【図４】実施の形態１に係るスプリットビュー表示部の構成の一例を示す断面図である。
【図５】実施の形態１に係るスプリットビュー表示部の表示例を示す図である。
【図６】タッチパネルによる指示体の検出の一例を示す図である。
【図７】実施の形態１に係るナビゲーション装置の動作を示すフローチャートである。
【図８】実施の形態１に係るナビゲーション装置の左用画像及び右用画像の表示例を示す図である。
【図９】実施の形態１に係るナビゲーション装置の動作を説明するための図である。
【図１０】実施の形態１に係るナビゲーション装置の動作を説明するための図である。
【図１１】実施の形態１の変形例１に係るナビゲーション装置の左用画像及び右用画像の表示例を示す図である。
【図１２】実施の形態１の変形例１に係るナビゲーション装置の左用画像及び右用画像の表示例を示す図である。
【図１３】実施の形態１の変形例１に係るナビゲーション装置の左用画像及び右用画像の表示例を示す図である。
【図１４】実施の形態１の変形例１に係るナビゲーション装置の左用画像及び右用画像の表示例を示す図である。
【図１５】実施の形態１の変形例１に係るナビゲーション装置の左用画像及び右用画像の表示例を示す図である。
【図１６】実施の形態１の変形例１に係るナビゲーション装置の左用画像及び右用画像の表示例を示す図である。
【図１７】実施の形態１の変形例１に係るナビゲーション装置の左用画像及び右用画像の表示例を示す図である。
【図１８】実施の形態１の変形例１に係るナビゲーション装置の左用画像及び右用画像の表示例を示す図である。
【図１９】実施の形態１の変形例２に係るナビゲーション装置の動作を説明するための図である。
【図２０】実施の形態１の変形例２に係るナビゲーション装置の動作を説明するための図である。
【図２１】実施の形態２に係るナビゲーション装置の動作を示すフローチャートである。
【図２２】実施の形態２に係るナビゲーション装置の左用画像及び右用画像の表示例を示す図である。
【図２３】実施の形態２に係るナビゲーション装置の左用画像及び右用画像の表示例を示す図である。
【図２４】実施の形態３に係るＰＣの構成の一例を示すブロック図である。
【図２５】実施の形態３に係るＰＣの動作を示すフローチャートである。
【図２６】実施の形態３に係るＰＣの画像の表示例を示す図である。
【図２７】実施の形態３に係るＰＣの画像の表示例を示す図である。
【図２８】実施の形態３の変形例に係るＰＣの画像の表示例を示す図である。
【発明を実施するための形態】
【００１２】
＜実施の形態１＞
本発明の実施の形態１として、本発明に係る表示制御装置を、車両に搭載可能なナビゲーション装置に適用した場合を例にして説明する。図１は、当該ナビゲーション装置の構成の一例を示すブロック図である。以下、図１に示されるナビゲーション装置１が搭載された車両を「自車」と記載して説明する。
【００１３】
ナビゲーション装置１は、スプリットビュー表示部２と、タッチパネル３と、操作入力処理部９と、インタフェース部１０と、記憶部１１と、左用画像生成部１２と、右用画像生成部１３と、これらを統括的に制御する制御部１４とを備えて構成されている。
【００１４】
インタフェース部１０は、無線通信部４、スピーカ５、ＤＶＤ（Digital Versatile Disk）プレーヤ６、エアコン７及び車内ＬＡＮ（Local Area Network）８と、制御部１４との間に接続されている。無線通信部４、スピーカ５、ＤＶＤプレーヤ６、エアコン７及び車内ＬＡＮ８と、制御部１４との間では、インタフェース部１０を介して各種情報や各種信号が双方向に出力される。以下、説明を簡単にするため、一方がインタフェース部１０を介して他方に情報を出力すると記載する代わりに、一方が他方に情報を出力すると記載する。制御部１４は、制御情報を、無線通信部４、スピーカ５、ＤＶＤプレーヤ６、エアコン７及び車内ＬＡＮ８に出力することにより、これらを制御することが可能となっている。
【００１５】
スプリットビュー表示部２は、例えば自車のダッシュボードなどに配設される。スプリットビュー表示部２は、左座席の方向（第１方向）にて視認可能であるが右座席の方向から視認できない第１画像（以下「左用画像」と記す）と、右座席の方向（第２方向）にて視認可能であるが左座席の方向から視認できない第２画像（以下「右用画像」と記す）とを一つの画面上に表示することが可能となっている。すなわち、スプリットビュー表示部２は、スプリットビュー方式によって、左座席の方向にて視認可能であるが右座席の方向にて視認できない画像を左用画像として表示することが可能であるとともに、左用画像を表示している画面と同じ１つの画面上に右座席の方向にて視認可能であるが左座席の方向にて視認できない右用画像を表示することが可能となっている。
【００１６】
後述するように、スプリットビュー表示部２は、左用画像内のアイコン（第１アイコン）と、右用画像内のアイコン（第２アイコン）とを表示する。以下、左用画像内のアイコン（第１アイコン）を「左用アイコン」と記し、右用画像内のアイコン（第２アイコン）を「右用アイコン」と記す。また、以下では、左座席が運転席であり、右座席が助手席である構成を例にして説明するが、左座席が助手席であり、右座席が運転席である構成では、以下の説明において左と右とを互いに読み替えたものと同様である。
【００１７】
スプリットビュー表示部２には、例えば、空間分割方式の表示装置が適用される。図２に当該表示装置の模式断面図を示す。図２に示す表示装置２００は、表示画面２０１と、視差バリア２０２とを備えている。表示画面２０１には、左用画像を表示するための第１画素２０１ａと、右用画像を表示するための第２画素２０１ｂとが水平方向（左右方向）に沿って交互に配置されている。視差バリア２０２は、左座席の方向に対しては第１画素２０１ａの光を通過させるが第２画素２０１ｂの光を遮断し、右座席の方向に対しては第２画素２０１ｂの光を通過させるが第１画素２０１ａの光を遮断する。このような構成によれば、左座席のユーザ１０１ａは、右用画像を視認できないが左用画像を視認することができ、右座席のユーザ１０１ｂは、左用画像を視認できないが右用画像を視認することができる。
【００１８】
スプリットビュー表示部２に空間分割方式の表示装置２００を適用した構成では、視差バリア２０２が左座席の方向に複数の第１画素２０１ａからの光を通過させることによって左用アイコンが視認可能に表示され、視差バリア２０２が右座席の方向に複数の第２画素２０１ｂからの光を通過させることによって右用アイコンが視認可能に表示される。このため、左用アイコンの表示領域の外縁部は、当該左用アイコンの表示に用いられた複数の第１画素２０１ａのうち外縁部に位置する第１画素２０１ａに対応し、右用アイコンの表示領域の外縁部は、当該右用アイコンの表示に用いられた複数の第２画素２０１ｂのうち外縁部に位置する第２画素２０１ｂに対応する。
【００１９】
図３は、空間分割方式のスプリットビュー表示部２の表示例を示す図であり、１フレームの左用画像及び右用画像が示されている。例えば、ＷＶＧＡ（Wide VGA）の表示装置においては、全体で横（ｘ軸）に８００ドット、縦（ｙ軸）に４８０ドットの画素を持つ。ＷＶＧＡの表示装置に対応する、図３のような空間分割方式のスプリットビュー表示装置は、表示装置の性能によっても異なるが、例えば、横に並べられた総数がＷＶＧＡの表示装置における横方向の画素数の２倍、つまり合計の画素数が横に１６００ドット、縦に４８０ドットの第１及び第２画素２０１ａ，２０１ｂで構成される。しかし、ここでは説明を容易にするため、スプリットビュー表示装置は、横に１３ドット、縦に４ドットの第１画素２０１ａと、それと同数の第２画素２０１ｂとで構成され、アイコンは横に４ドット、縦に１ドットの第１画素２０１ａまたは第２画素２０１ｂで表示されるものとして説明を行う。また、図３に示されるようなアイコンの１ドットのｘ軸（左右方向）のずれは、通常の視認位置からでは人の目では見分けがつかず、同一位置に表示されているように見える。
【００２０】
図３では、左用アイコンの外縁部（外枠）が破線で示されており、当該左用アイコンを表示するために、水平方向に配設された４つの第１画素２０１ａが用いられていることが示されている。また、図３では、右用アイコンの外縁部（外枠）が一点鎖線で示されており、当該右用アイコンを表示するために、水平方向に配設された４つの第２画素２０１ｂが用いられていることが示されている。なお、左用アイコンの表示に用いられる第１画素２０１ａの数、及び、右用アイコンの表示に用いられる第２画素２０１ｂの数は、４つに限ったものではない。
【００２１】
以下の説明では、スプリットビュー表示部２に空間分割方式の表示装置２００が適用された構成において、左用アイコンの表示に用いられた複数（図３では４つ）の第１画素２０１ａの少なくとも１つが、右用アイコンの表示に用いられた複数（図３では４つ）の第２画素２０１ｂのうち外縁部に位置する第２画素２０１ｂ（図３では一点鎖線に対応する第２画素２０１ｂ）に挟まれている場合に、当該左用アイコンの表示領域の少なくとも一部と、当該右用アイコンの表示領域の少なくとも一部とがスプリットビュー表示部２の画面上において互いに重なると記す。また、当該構成において、右用アイコンの表示に用いられた複数（図３では４つ）の第２画素２０１ｂの少なくとも１つが、左用アイコンの表示に用いられた複数（図３では４つ）の第１画素２０１ａのうち外縁部に位置する第１画素２０１ａ（図３では破線に対応する第１画素２０１ａ）に挟まれている場合にも、当該左用アイコンの表示領域の少なくとも一部と、当該右用アイコンの表示領域の少なくとも一部とがスプリットビュー表示部２の画面上において互いに重なると記す。一方、当該構成において、右用アイコンの表示に用いられた第２画素２０１ｂ、及び、左用アイコンの表示に用いられた第１画素２０１ａの一方が、他方に挟まれていない場合に、当該左用アイコンの表示領域と、当該右用アイコンの表示領域とがスプリットビュー表示部２の画面上において離間すると記す。
【００２２】
以上、スプリットビュー表示部２に、空間分割方式の表示装置２００が適用された構成について説明した。しかしこれに限ったものではなく、スプリットビュー表示部２には、例えば、時分割方式の表示装置が適用されてもよい。図４に当該表示装置の模式断面図を示す。図４に示す表示装置２５０は、表示画面２５１と、視差バリア２５２とを備えている。表示画面２５１は、第１期間では左用画像を画素２５１ｃによって表示し、第２期間では右用画像を画素２５１ｃによって表示する。視差バリア２５２は、第１期間では左座席の方向に対して画素２５１ｃの光を通過させるが右座席の方向に対して画素２５１ｃの光を遮断し、第２期間では右座席の方向に対して画素２５１ｃの光を通過させるが左座席の方向に対して画素２５１ｃの光を遮断する。なお、図４には、第１期間の状態が示されている。
【００２３】
上述のような構成によれば、左座席のユーザ１０１ａは、右用画像を視認できないが左用画像を視認することができ、右座席のユーザ１０１ｂは、左用画像を視認できないが右用画像を視認することができる。なお、右座席のユーザ１０１ｂの目は、第１期間において、スプリットビュー表示部２から画素２５１ｃの光を受けていない。しかし、この第１期間は非常に短く設定されていることから、第１期間に目が光を受けていないことは右座席のユーザ１０１ｂに認識されない。一方、第２期間に目が受けた光の残像効果によって、第１期間においても第２期間の画像が表示されているように右座席のユーザ１０１ｂに認識される。同様に、第２期間に目が光を受けていないことは左座席のユーザ１０１ａに認識されず、第１期間に目が受けた光の残像効果によって、第２期間においても第１期間の画像が表示されているように左座席のユーザ１０１ａに認識される。
【００２４】
スプリットビュー表示部２に時分割方式の表示装置２５０を適用した構成では、視差バリア２５２が、第１期間に左座席の方向に複数の画素２５１ｃからの光を通過させることによって左用アイコンが視認可能に表示され、第２期間に右座席の方向に複数の画素２５１ｃからの光を通過させることによって右用アイコンが視認可能に表示される。このため、左用アイコンの表示領域の外縁部は、当該左用アイコンの表示に用いられた複数の画素２５１ｃのうち外縁部に位置する画素２５１ｃに対応し、右用アイコンの表示領域の外縁部は、当該右用アイコンの表示に用いられた複数の画素２５１ｃのうち外縁部に位置する画素２５１ｃに対応する。
【００２５】
図５（ａ）及び図５（ｂ）は、時分割方式のスプリットビュー表示部２の表示例を示す図であり、１フレームの左用画像及び右用画像が示されている。例えば、ＷＶＧＡの表示装置においては、上述したように、全体で横（ｘ軸）に８００ドット、縦（ｙ軸）に４８０ドットの画素を持つ。ＷＶＧＡの表示装置に対応する、図５（ａ）及び図５（ｂ）のような時分割方式のスプリットビュー表示装置は、表示装置の性能によっても異なるが、例えば、横に８００ドット、縦に４８０ドットの画素２５１ｃで構成される。しかし、ここでは説明を容易にするため、スプリットビュー表示装置は、横に１３ドット、縦に４ドットの画素２５１ｃで構成され、アイコンは横に３ドット、縦に１ドットの画素２５１ｃで表示されるものとして説明を行う。
【００２６】
図５（ａ）では、第１期間に表示される左用アイコンの外縁部（外枠）が破線で示されており、当該左用アイコンを表示するために、水平方向に配設された３つの画素２５１ｃが用いられていることが示されている。図５（ｂ）では、第２期間に表示される右用アイコンの外縁部（外枠）が破線で示されており、当該右用アイコンを表示するために、水平方向に配設された３つの画素２５１ｃが用いられていることが示されている。なお、左用アイコンの表示に用いられる画素２５１ｃの数、及び、右用アイコンの表示に用いられる画素２５１ｃの数は、３つに限ったものではない。
【００２７】
以下の説明では、スプリットビュー表示部２に時分割方式の表示装置２５０が適用された構成において、第１期間に左用アイコンの表示に用いられた複数の画素２５１ｃのうち少なくとも１つと、第２期間に右用アイコンの表示に用いられた複数の画素２５１ｃのうち少なくとも１つとが一致する場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられ、かつ、第２期間に右用アイコンの表示に用いられた画素２５１ｃが存在しない場合に、当該左用アイコンの表示領域と、当該右用アイコンの表示領域とがスプリットビュー表示部２の画面上において離間すると記す。
【００２８】
詳細な構成については説明を省略するが、スプリットビュー表示部２には、空間分割方式と時分割方式とを組み合わせた方式の表示装置が適用されてもよい。そして、例えば、第１期間に左用アイコンの表示に用いられた画素の少なくとも一部が、第２期間に右用アイコンの表示に用いられた複数の画素のうち外縁部に位置する画素に挟まれている場合、または、第２期間に右用アイコンの表示に用いられた画素の少なくとも一部が、第１期間に左用アイコンの表示に用いられた複数の画素のうち外縁部に位置する画素に挟まれている場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられた画素、及び、第２期間に右用アイコンの表示に用いられた画素の一方が、他方に挟まれていない場合に、当該左用アイコンの表示領域と、当該右用アイコンの表示領域とがスプリットビュー表示部２の画面上において離間すると記す。
【００２９】
なお、スプリットビュー方式を用いた表示装置の具体的な構成は、例えば特開２００５−０７８０８０号公報及び国際公開第２０１２／０７０４４４号などに開示されている。なお、以上の説明では言及しなかったが、空間分割方式及び時分割方式のいずれにおいても、短い期間（例えば１／３０［秒］）で画素の走査が行われる。
【００３０】
図１に戻って、外部操作を受け付けるタッチパネル３（入力部）の検出面は、スプリットビュー表示部２の画面に配設されている。タッチパネル３は、アプリケーションの機能（予め定められたアプリケーションの機能）を実行するための左用画像に対する第１操作（以下「左用操作」と記す）と、アプリケーションの機能を実行するための右用画像に対する第２操作（以下「右用操作」と記す）とを一律に受け付ける。本実施の形態１では、タッチパネル３は、検出面をタッチした１以上の指などの指示体について、当該検出面上の二次元の位置を定期的に検出する。そして、タッチパネル３は、当該指示体の位置を示す信号を操作入力処理部９に出力する。
【００３１】
ただし、タッチパネル３は、（Ｘ，Ｙ）座標値のような二次元の位置を指示体の位置として検出するものに限ったものではない。例えば、タッチパネル３は、図６に示すように、指示体との距離が最短となる検出面上の点の位置（二次元の位置）と、指示体と検出面（当該点）との間の距離（別の一次元の位置であるＺ軸座標値）とを含む三次元の位置（Ｘ，Ｙ，Ｚ）を、指示体の位置として検出するものであってもよい。
【００３２】
無線通信部４は、例えばＤＳＲＣ（Dedicate Short Range Communication）及び携帯電話機などを介してサーバと通信を行う。無線通信部４は、サーバから受信した情報（例えばダウンロードした情報など）を制御部１４に出力したり、制御部１４から出力された情報をサーバに送信したりする。また、無線通信部４は、ラジオ放送及びテレビ放送を受信し、それら放送から取得した情報を制御部１４に出力する。
【００３３】
スピーカ５（音声出力部）は、制御部１４から出力された音声信号に基づいて音声を出力する。
【００３４】
ＤＶＤプレーヤ６は、ＤＶＤに記録されたＡＶ（Audio-video）情報を再生し、当該ＡＶ情報を制御部１４に出力する。
【００３５】
エアコン７は、制御部１４の制御により、自車の室内の温度や湿度を調整する。
【００３６】
車内ＬＡＮ８は、自車のＥＣＵ（Electronic Control Unit）やＧＰＳ（Global Positioning System）装置などと通信を行う。例えば、車内ＬＡＮ８は、ＥＣＵから取得した自車の速度や、ＧＰＳ装置から取得した自車の現在位置（例えば緯度及び経度）を制御部１４に出力する。
【００３７】
操作入力処理部９は、タッチパネル３の出力信号に基づいて、タッチパネル３に対してジェスチャー操作が実施されたか否かを判定するとともに、実施されたジェスチャー操作の種類を判定する。ここで、ジェスチャー操作は、指示体によりタッチパネル３の検出面をタッチするタッチ操作と、指示体によりタッチパネル３の検出面に予め定められた軌道を描くジェスチャー操作（以下「軌道ジェスチャー操作」と記す）とを含む。また、軌道ジェスチャー操作は、２点タッチ後に当該２点タッチの２点を続けて用いるジェスチャー操作を含んでもよく、または、２点タッチ後に当該２点タッチの２点のうち１点を離して残りの１点を続けて用いるジェスチャー操作を含んでもよい。
【００３８】
つまり、操作入力処理部９は、タッチパネル３の出力信号に基づいて、ジェスチャー操作としてタッチ操作が実施されたか否かを判定する。また、タッチ操作が実施されたと判定する際には、操作入力処理部９は、タッチパネル３の検出面がタッチされた点の数（検出面をタッチした指示体の数）も判定する。したがって、操作入力処理部９は、指示体によりタッチパネル３の検出面を１点でタッチする１点タッチ操作が実施されたか否か、指示体によりタッチパネル３の検出面を２点でタッチする２点タッチ操作が実施されたか否かなどを判定することが可能となっている。なお、ここでは、２点タッチ操作は、２つの指示体によりタッチパネル３の検出面を同時に２点でタッチする操作であるとして説明するが、これに限ったものではなく、例えば、予め定められた時間内に２回実施された１点タッチ操作を、２点タッチ操作として適用してもよい。
【００３９】
また、操作入力処理部９は、タッチパネル３の出力信号に基づいて、ジェスチャー操作として軌道ジェスチャー操作が実施されたか否かを判定する。ここで、軌道ジェスチャー操作は、例えば、指示体が予め定められた時間よりも短い時間で検出面を擦るフリック操作、指示体が予め定められた時間よりも長い時間で検出面を擦るドラッグ操作、及び、二つの指示体が検出面に接触した状態でそれらの間の距離を変更するピンチ操作などを含む。ただし、ドラッグ操作は、上述した操作に限ったものではなく、指示体がタッチパネルに触れたまま検出面を擦る操作として適用されてもよい。また、フリック操作は、上述した操作に限ったものではなく、指示体がタッチパネルに触れた状態からその検出面をはらう操作として適用されてもよい。
【００４０】
なお、後述する第１規定操作及び第２規定操作には、ジェスチャー操作が適用される。上述したように、操作入力処理部９は、ジェスチャー操作の種類ごとに、ジェスチャー操作が実施されたか否かを判定するように構成されていることから、第１規定操作及び第２規定操作が実施されたか否かを判定することが可能となっている。
【００４１】
さらに、操作入力処理部９には、スプリットビュー表示部２に表示されているアイコンの位置を示すアイコン位置情報が制御部１４から入力される。操作入力処理部９は、当該アイコン位置情報と、タッチパネル３の出力信号（指示体の位置を示す信号）とに基づいて、タッチパネル３、ひいてはスプリットビュー表示部２に表示されているアイコンなどに対してタッチ操作またはジェスチャー操作が実施されたか否かを判定する。例えば、操作入力処理部９は、タッチパネル３の出力信号が示す指示体の位置が、左用アイコンの表示領域に重なる（当該指示体が、当該左用アイコンの内側に位置する）と判定した場合、または、当該表示領域に重なりながら変化する（当該指示体の位置が、当該表示領域の内側に位置しながら変化する）と判定した場合には、当該左用アイコンに対するジェスチャー操作が実施されたと判定する。操作入力処理部９は、左用アイコンに関する当該判定と同様の判定を右用アイコンについても行う。
【００４２】
操作入力処理部９は、以上のジェスチャー操作の判定結果などを制御部１４に出力する。以上のように本実施の形態１では、スプリットビュー表示部２に表示されているアイコンなどに対する操作が実施されたか否かを判定する処理を、操作入力処理部９によって実施するものとして説明するが、当該判定する処理は制御部１４によって実施されてもよい。また、図１では、操作入力処理部９は、タッチパネル３及び制御部１４とは別に設けられているが、これに限ったものではなく、タッチパネル３の機能としてタッチパネル３に備えられていてもよいし、制御部１４の機能として制御部１４に備えられていてもよい。
【００４３】
記憶部１１は、例えばハードディスクドライブ、ＤＶＤ及びそのドライブ装置、ブルーレイディスク及びそのドライブ装置、または、半導体メモリなどの記憶装置から構成される。記憶部１１は、制御部１４が動作するのに必要なプログラムのほか、制御部１４に用いられる情報を記憶している。制御部１４に用いられる情報には、例えば、アプリケーション（アプリケーションソフトウェア）、アプリケーションの機能を実行する際に操作されるアイコンが配置された画像、及び、地図情報などが含まれる。なお、以下の説明では、アプリケーションの機能を実行する際に操作されるアイコンが配置された画像（例えば図８（ａ）及び図８（ｂ）に対応する画像）を、「アイコン配置画像」と記す。「アイコン配置画像」は、地図情報にアイコンを表示した画像も含む。
【００４４】
左用画像生成部１２は、制御部１４から出力された表示情報に基づいて、左用画像を表示するための表示信号を生成し、当該表示信号をスプリットビュー表示部２に出力する。スプリットビュー表示部２は、左用画像生成部１２から表示信号を受けると、当該表示信号に基づいて左用画像を表示する。
【００４５】
右用画像生成部１３は、制御部１４から出力された表示情報に基づいて、右用画像を表示するための表示信号を生成し、当該表示信号をスプリットビュー表示部２に出力する。スプリットビュー表示部２は、右用画像生成部１３から表示信号を受けると、当該表示信号に基づいて右用画像を表示する。
【００４６】
ここで、左用画像生成部１２が生成する表示信号には、左用画像に用いられる複数の画素のそれぞれに例えば（１，１）、（２，１）、…、（８００，１）、（１，２）、…（８００，２）、…、（８００，４８０）という順序で割り当てられた画素番号が含まれている。同様に、右用画像生成部１３が生成する表示信号にも、右用画像に用いられる複数の画素のそれぞれに例えば（１，１）、（１，２）、…、（８００，４８０）という順序で割り当てられた画素番号が含まれる。このため、左用アイコンの表示に用いられる少なくとも１つの画素の画素番号と、右用アイコンの表示に用いられる少なくとも１つの画素の画素番号とが一致する場合には、当該左用アイコンの表示領域の少なくとも一部と、当該右用アイコンの表示領域の少なくとも一部とがスプリットビュー表示部２の画面上において互いに重なることに相当する。ここで、（ｘ，ｙ）は、当該画面上の左上を（１，１）とし、ｘ軸は右方向を正、ｙ軸は下方向を正としたｘｙ座標に対応した画素位置を示す。
【００４７】
制御部１４は、例えばＣＰＵ（Central Processing Unit）から構成されており、当該ＣＰＵが記憶部１１に記憶されたプログラムを実行することにより、ナビゲーション装置１にて様々なアプリケーションを実行すること、ひいては当該実行されたアプリケーションに応じてスピーカ５などを制御することが可能となっている。
【００４８】
例えば、制御部１４は、ナビゲーションのアプリケーションを実行した場合には、自車の現在位置と、タッチパネル３の出力信号に基づく目的地と、地図情報とに基づいて現在位置から目的地までの経路を探索し、当該経路に沿った案内を表示するための表示情報、及び、当該案内を音声出力するための音声信号を生成する。この結果、上述の案内が左用画像または右用画像として表示されるとともに、上述の案内の音声がスピーカ５にて出力される。
【００４９】
また、例えば、制御部１４は、ＤＶＤ再生のアプリケーションを実行した場合には、ＤＶＤプレーヤ６からのＡＶ情報を表示するための表示情報、及び、ＡＶ情報を音声出力するための音声信号を生成する。この結果、ＤＶＤに記憶された映像が左用画像または右用画像として表示されるとともに、ＤＶＤに記憶された音声がスピーカ５にて出力される。
【００５０】
また、制御部１４は、左用画像側にて実行可能な（左用画像側から実行可能な）１以上のアプリケーションに対応する１つのアイコン配置画像を記憶部１１から取得し、当該取得したアイコン配置画像を左用画像として表示させる。これにより、当該アプリケーションの機能を左用画像側にて実行するための操作の対象となるアイコンが、スプリットビュー表示部２（左用画像）に表示される。以下、左用画像として表示可能なアイコン配置画像（例えば図８（ａ）に対応する画像）を「左用アイコン配置画像」と記す。なお、左用画像として表示されている左用アイコン配置画像内のアイコンは、上述の左用アイコンに対応する。
【００５１】
同様に、制御部１４は、右用画像側にて実行可能な（右用画像側から実行可能な）１以上のアプリケーションに対応する１つのアイコン配置画像を記憶部１１から取得し、当該取得したアイコン配置画像を右用画像として表示させる。これにより、当該アプリケーションの機能を右用画像側にて実行するための操作の対象となるアイコンが、スプリットビュー表示部２（右用画像）に表示される。以下、右用画像として表示可能なアイコン配置画像（例えば図８（ｂ）に対応する画像）を「右用アイコン配置画像」と記す。なお、右用画像として表示されている右用アイコン配置画像内のアイコンは、上述の右用アイコンに対応する。
【００５２】
また、制御部１４は、予め規定された第１規定操作が実施されたと操作入力処理部９にて判定された場合には、当該実施されたと判定された第１規定操作を、上述の左用操作として判別する。一方、制御部１４は、第１規定操作と異なる予め規定された第２規定操作が実施されたと操作入力処理部９にて判定された場合には、当該実施されたと判定された第２規定操作を、上述の右用操作として判別する。
【００５３】
なお、本実施の形態１では、第１規定操作は、指示体によりタッチパネル３に予め定められた第１軌道を描く第１ジェスチャー操作（以下「第１軌道ジェスチャー操作」と記す）であるものとする。また、第２規定操作は、指示体によりタッチパネル３に第１軌道と異なる予め定められた第２軌道を描く第２ジェスチャー操作（以下「第２軌道ジェスチャー操作」と記す）であるものとする。以下では、その一例として、第１軌道ジェスチャー操作が、右上り（左下り）の直線形状の軌道を描くドラッグ操作（以下「右上ドラッグ操作」と記す）であり、第２軌道ジェスチャー操作が、左上り（右下り）の直線形状の軌道を描くドラッグ操作（以下「左上ドラッグ操作」と記す）である場合について説明する。
【００５４】
そして、以下において詳細に説明するように、制御部１４は、第１規定操作（右上ドラッグ操作）の実施を誘導可能な左用アイコン、及び、第２規定操作（左上ドラッグ操作）の実施を誘導可能な右用アイコンを、スプリットビュー表示部２に表示させるように構成されている。
【００５５】
＜動作＞
図７は、本実施の形態１に係るナビゲーション装置１の動作を示すフローチャートである。図７に示される動作はＣＰＵが記憶部１１に記憶されたプログラムを実行することによって行われる。以下、ナビゲーション装置１の動作について図７を用いて説明する。
【００５６】
まず、ステップＳ１にて、初期動作を実行するための操作が実施された場合に、制御部１４は初期動作を実行する。ここでは、初期動作として、制御部１４は、左用画像側及び右用画像側にて初期に実行すべきアプリケーションを記憶部１１から取得し、当該アプリケーションを実行する。
【００５７】
ステップＳ２にて、制御部１４は、左用画像側にて実行されているアプリケーションに対応する左用アイコン配置画像を記憶部１１から取得するとともに、右用画像側にて実行されているアプリケーションに対応する右用アイコン配置画像を記憶部１１から取得する。
【００５８】
ステップＳ３にて、制御部１４は、取得した左用アイコン配置画像をスプリットビュー表示部２の左用画像として表示し、取得した右用アイコン配置画像をスプリットビュー表示部２の右用画像として表示する。
【００５９】
図８（ａ）及び図８（ｂ）は、本実施の形態１に係るナビゲーション装置１（スプリットビュー表示部２）のステップＳ３における左用画像及び右用画像の表示例を示す図である。図８（ａ）は左用画像の表示例であり、左用アイコンＬ１，Ｌ２，Ｌ３，Ｌ４，Ｌ５（以下これらのアイコンをまとめて「左用アイコンＬ１〜Ｌ５」と記すこともある）が表示されている。図８（ｂ）は右用画像の表示例であり、右用アイコンＲ１，Ｒ２，Ｒ３，Ｒ４，Ｒ５（以下これらのアイコンをまとめて「右用アイコンＲ１〜Ｒ５」と記すこともある）が表示されている。
【００６０】
図８（ａ）及び図８（ｂ）の表示例では、左用アイコンＬ１〜Ｌ５の表示領域の少なくとも一部と右用アイコンＲ１〜Ｒ５の表示領域の少なくとも一部とが、スプリットビュー表示部２の画面上において互いに重ねて配置されている。本実施の形態１では、制御部１４は、アイコンの表示領域の少なくとも一部がスプリットビュー表示部２の画面上において互いに重なる左用アイコン配置画像及び右用アイコン配置画像を記憶部１１から取得し、これら画像をスプリットビュー表示部２に表示させることにより、図８（ａ）及び図８（ｂ）に示すような表示が実現されるものとする。
【００６１】
ここで、図８（ａ）に示される左用アイコンＬ１〜Ｌ５の外枠形状と、右上ドラッグ操作の直線形状の軌道（第１軌道ジェスチャー操作の第１軌道）とが対応している。具体的には、左用アイコンＬ１〜Ｌ５の長手方向が、右上ドラッグ操作（第１規定操作）として描くべき直線の延在方向に揃えられている。左座席のユーザは、このようなアイコン表示を手がかりにすることにより、右上ドラッグ操作、つまり第１規定操作を実施することが可能となる。このように、ステップＳ３にて、制御部１４は、第１規定操作の実施を誘導可能な左用アイコンＬ１〜Ｌ５を、スプリットビュー表示部２に表示させる。
【００６２】
同様に、図８（ｂ）に示される右用アイコンＲ１〜Ｒ５の外枠形状と、左上ドラッグ操作の直線形状の軌道（第２軌道ジェスチャー操作の第２軌道）とが対応している。具体的には、右用アイコンＲ１〜Ｒ５の長手方向が、左上ドラッグ操作（第２規定操作）として描くべき直線の延在方向に揃えられている。右座席のユーザは、このようなアイコン表示を手がかりにすることにより、左上ドラッグ操作、つまり第２規定操作を実施することが可能となる。このように、ステップＳ３にて、制御部１４は、第２規定操作の実施を誘導可能な右用アイコンＲ１〜Ｒ５を、スプリットビュー表示部２に表示させる。
【００６３】
図７のステップＳ４にて、操作入力処理部９は、ドラッグ操作が実施されたか否かを判定する。ドラッグ操作が実施されたと判定された場合にはステップＳ５に進み、実施されなかったと判定された場合にはステップＳ４を再度行う。なお、ステップＳ４を再度行う際において、地図が左用画像または右用画像として表示されており、かつ、自車の位置が変化していた場合には、制御部１４は、当該変化に応じて当該地図をスクロールさせてもよい。
【００６４】
ステップＳ５にて、操作入力処理部９は、ステップＳ４のドラッグ操作が左用アイコンまたは右用アイコンに対して実施されたか否かを判定する。なお、この判定結果はステップＳ８またはステップＳ１１にて用いられる。
【００６５】
ステップＳ６にて、操作入力処理部９は、ステップＳ４のドラッグ操作が、右上ドラッグ操作であったか、左上ドラッグ操作であったか、または、これらのいずれでもなかったかを判定する。
【００６６】
右上ドラッグ操作であったと判定された場合にはステップＳ７に進み、左上ドラッグ操作であったと判定された場合にはステップＳ１０に進み、これらのいずれでもなかったと判定された場合にはステップＳ４に戻る。なお、ステップＳ４に戻る際において、地図が左用画像または右用画像として表示されており、かつ、自車の位置が変化していた場合には、制御部１４は、当該変化に応じて当該地図をスクロールさせてもよい。このことは、ステップＳ６以外のステップからステップＳ４に戻る際においても同様である。
【００６７】
ステップＳ６からステップＳ７に進んだ場合、ステップＳ７にて、制御部１４は、ステップＳ４のドラッグ操作、すなわち右上ドラッグ操作を左用操作として判別する。
【００６８】
ステップＳ８にて、制御部１４は、左用操作であると判別された右上ドラッグ操作が、左用アイコンに対して実施されたか否かを、ステップＳ５の判定結果に基づいて判断する。当該右上ドラッグ操作が、左用アイコンに対して実施されたと判断された場合にはステップＳ９に進み、そうでない場合にはステップＳ４に戻る。
【００６９】
ステップＳ９にて、制御部１４は、右上ドラッグ操作が実施された左用アイコンに予め対応付けられた機能を実行する。その後ステップＳ４に戻る。なお、当該左用アイコンに対して、アイコン配置画像が予め対応付けられて記憶部１１に記憶されている場合には、ステップＳ９からステップＳ３に戻って、当該アイコン配置画像がスプリットビュー表示部２に表示されてもよい。
【００７０】
ステップＳ６からステップＳ１０に進んだ場合、ステップＳ１０にて、制御部１４は、ステップＳ４のドラッグ操作、すなわち左上ドラッグ操作を右用操作として判別する。
【００７１】
ステップＳ１１にて、制御部１４は、右用操作であると判別された左上ドラッグ操作が、右用アイコンに対して実施されたか否かを、ステップＳ５の判定結果に基づいて判断する。当該左上ドラッグ操作が、右用アイコンに対して実施されたと判断された場合にはステップＳ１２に進み、そうでない場合にはステップＳ４に戻る。
【００７２】
ステップＳ１２にて、制御部１４は、左上ドラッグ操作が実施された右用アイコンに予め対応付けられた機能を実行する。その後ステップＳ４に戻る。なお、当該右用アイコンに対して、アイコン配置画像が予め対応付けられて記憶部１１に記憶されている場合には、ステップＳ１２からステップＳ３に戻って、当該アイコン配置画像がスプリットビュー表示部２に表示されてもよい。
【００７３】
以上で説明した図７の動作の一例について説明する。例えば、図９（ａ）及び図９（ｂ）に示されるように、指示体である指２１による右上ドラッグ操作が左用アイコンＬ１及び右用アイコンＲ１に対して実施されたものとする（図中の矢印２１Ａは当該右上ドラッグ操作における指２１の軌道を示す）。すなわち、左用アイコンＬ１の長手方向に沿った右上ドラッグ操作が、左用アイコンＬ１及び右用アイコンＲ１に対して実施されたものとする。この場合には、制御部１４は、当該右上ドラッグ操作を左用操作として判別する。この結果、制御部１４は、右用アイコンＲ１に対応付けられた機能を実行せずに、左用アイコンＬ１に対応付けられた機能を実行する。
【００７４】
一方、例えば、図１０（ａ）及び図１０（ｂ）に示されるように、指２１による左上ドラッグ操作が左用アイコンＬ１及び右用アイコンＲ１に対して実施されたものとする（図中の矢印２１Ｂは当該左上ドラッグ操作における指２１の軌道を示す）。すなわち、右用アイコンＲ１の長手方向に沿った左上ドラッグ操作が、左用アイコンＬ１及び右用アイコンＲ１に対して実施されたものとする。この場合には、制御部１４は、当該左上ドラッグ操作を右用操作として判別する。この結果、制御部１４は、左用アイコンＬ１に対応付けられた機能を実行せずに、右用アイコンＲ１に対応付けられた機能を実行する。
【００７５】
＜効果＞
以上のような本実施の形態１に係るナビゲーション装置１によれば、第１規定操作（ここでは右上ドラッグ操作）が実施されたと判定された場合には、当該第１規定操作を左用操作として判別し、第２規定操作（ここでは左上ドラッグ操作）が実施されたと判定された場合には、当該第２規定操作を右用操作として判別する。したがって、左座席のユーザは、第１規定操作を実施することにより、右座席のユーザのアプリケーションを知らないうちに実行することなく、左座席のユーザのアプリケーションを実行することができる。同様に、右座席のユーザは、第２規定操作を実施することにより、左座席のユーザのアプリケーションを知らないうちに実行することなく、右座席のユーザのアプリケーションを実行することができる。つまり、左用画像側及び右用画像側のアプリケーションの機能のうち、ユーザが望む機能を実行することができる。また、この結果として、スプリットビュー表示部２の画面上において左用アイコンの表示領域の少なくとも一部と右用アイコンの表示領域の少なくとも一部とを互いに重ねて配置することができることから、アイコン配置画像を生成する工程にて、アイコンを配置するための領域が不足することを抑制することができるとともに、アイコン配置に課せられる制約を低減することができる。
【００７６】
また、本実施の形態１によれば、第１規定操作（ここでは右上ドラッグ操作）の実施を誘導可能な左用アイコンＬ１〜Ｌ５が表示される。したがって、左座席のユーザは、その表示を手がかりにして、第１規定操作がどのような操作であるかを操作前に知ることができる。同様に、第２規定操作（ここでは左上ドラッグ操作）の実施を誘導可能な右用アイコンＲ１〜Ｒ５が表示される。したがって、右座席のユーザは、その表示を手がかりにして、第２規定操作がどのような操作であるかを操作前に知ることができる。
【００７７】
＜実施の形態１の変形例１＞
実施の形態１では、図８（ａ）及び図８（ｂ）に示したように、制御部１４は、静止画像の左用アイコンＬ１〜Ｌ５及び右用アイコンＲ１〜Ｒ５を、スプリットビュー表示部２に表示させた。しかし、左用アイコンＬ１〜Ｌ５は、第１規定操作の実施を誘導可能であれば静止画像のアイコンでなくてもよく、同様に、右用アイコンＲ１〜Ｒ５は、第２規定操作の実施を誘導可能であれば静止画像のアイコンでなくてもよい。
【００７８】
例えば、図１１（ａ）及び図１１（ｂ）に示すように、制御部１４は、実線に示す形状と破線に示す形状とを交互に表示する動画像の左用アイコンＬ１〜Ｌ５及び右用アイコンＲ１〜Ｒ５を、スプリットビュー表示部２に表示させてもよい。すなわち、制御部１４は、左用アイコンＬ１〜Ｌ５、及び、右用アイコンＲ１〜Ｒ５のうち、少なくともいずれか１つをアニメーション（動画像）によってスプリットビュー表示部２に表示させてもよい。アニメーションは第１規定操作及び第２規定操作の少なくともいずれか１つを誘導する表現方法で行う。
【００７９】
また、制御部１４は、図１２（ａ）に示すように、通常の左用アイコンＬ１１，Ｌ１２，Ｌ１３，Ｌ１４，Ｌ１５（以下「左用アイコンＬ１１〜Ｌ１５」と記す）と、第１規定操作（ここでは右上ドラッグ操作）の実施を誘導可能な矢印３１１，３１２，３１３，３１４，３１５（以下「矢印３１１〜３１５」と記す）とをスプリットビュー表示部２に表示させてもよい。図１２（ａ）では、矢印３１１〜３１５（第１表示オブジェクト）の形状と、右上ドラッグ操作の直線形状の軌道（第１軌道ジェスチャー操作の第１軌道）とが対応することにより、矢印３１１〜３１５は、第１規定操作の実施を誘導することが可能となっている。なお、通常の左用アイコンＬ１１〜Ｌ１５には、例えば、第１規定操作の実施を明示的に誘導しない左用アイコンが適用される。
【００８０】
同様に、制御部１４は、図１２（ｂ）に示すように、通常の右用アイコンＲ１１，Ｒ１２，Ｒ１３，Ｒ１４，Ｒ１５（以下「右用アイコンＲ１１〜Ｒ１５」と記す）と、第２規定操作（ここでは左上ドラッグ操作）の実施を誘導可能な矢印３２１，３２２，３２３，３２４，３２５（以下「矢印３２１〜３２５」と記す）とをスプリットビュー表示部２に表示させてもよい。図１２（ｂ）では、矢印３２１〜３２５（第２表示オブジェクト）の形状と、左上ドラッグ操作の直線形状の軌道（第２軌道ジェスチャー操作の第２軌道）とが対応することにより、矢印３２１〜３２５は、第２規定操作の実施を誘導することが可能となっている。なお、通常の右用アイコンＲ１１〜Ｒ１５には、例えば、第２規定操作の実施を明示的に誘導しない右用アイコンが適用される。
【００８１】
別の例として、制御部１４は、図１２（ａ）に示した左用アイコンＬ１１〜Ｌ１５に近接させた矢印３１１〜３１５の代わりに、図１３（ａ）に示すように、左用アイコンＬ１１〜Ｌ１５上に重ねられた矢印３１１〜３１５をスプリットビュー表示部２に表示させてもよい。同様に、制御部１４は、図１２（ｂ）に示した右用アイコンＲ１１〜Ｒ１５に近接させた矢印３２１〜３２５の代わりに、図１３（ｂ）に示すように、右用アイコンＲ１１〜Ｒ１５上に重ねられた矢印３２１〜３２５をスプリットビュー表示部２に表示させてもよい。なお、図１３（ａ）及び図１３（ｂ）に示した矢印３１１〜３１５，３２１〜３２５は、第１表示オブジェクト及び第２表示オブジェクトとして定義されるのではなく、左用アイコン及び右用アイコンの一部として定義されてもよい。
【００８２】
また、制御部１４は、図１２（ａ）及び図１３（ａ）に示した静止画像の矢印３１１〜３１５の代わりに、図１４（ａ）に示すように、実線に示す形状と破線に示す形状とを交互に表示する動画像の矢印３１１〜３１５を、スプリットビュー表示部２に表示させてもよい。同様に、制御部１４は、図１２（ｂ）及び図１３（ｂ）に示した静止画像の矢印３２１〜３２５の代わりに、図１４（ｂ）に示すように、実線に示す形状と破線に示す形状とを交互に表示する動画像の矢印３２１〜３２５を、スプリットビュー表示部２に表示させてもよい。すなわち、制御部１４は、左用画像内の矢印３１１〜３１５及び右用画像内の矢印３２１〜３２５のうち、少なくともいずれか１つをアニメーション（動画像）によって表示させてもよい。このような構成によれば、左座席のユーザは、第１規定操作がどのような操作であるかをより具体的に知ることができ、右座席のユーザは、第２規定操作がどのような操作であるかをより具体的に知ることができる。
【００８３】
また、制御部１４は、図８（ａ）に示した第１規定操作の実施を誘導可能な左用アイコンＬ１〜Ｌ５と、図１２（ａ）に示した第１規定操作の実施を誘導可能な矢印３１１〜３１５とを同時にスプリットビュー表示部２に表示させてもよい。同様に、制御部１４は、図８（ｂ）に示した第２規定操作の実施を誘導可能な右用アイコンＲ１〜Ｒ５と、図１２（ｂ）に示した第２規定操作の実施を誘導可能な矢印３２１〜３２５とを同時にスプリットビュー表示部２に表示させてもよい。また、その構成において、制御部１４は、左用アイコンＬ１〜Ｌ５、矢印３１１〜３１５、右用アイコンＲ１〜Ｒ５、及び、矢印３２１〜３２５のうち、少なくともいずれか１つをアニメーション（動画像）によって表示させてもよい。
【００８４】
さらに、第１軌道ジェスチャー操作の第１軌道と、第２軌道ジェスチャー操作の第２軌道とは、軌道の形状が異なるものであれば、上述に限ったものではない。例えば、第１軌道が、右上り（左下り）の直線形状であり、第２軌道が、Ｖ字形状であってもよい。その構成においては、制御部１４は、図１５（ａ）に示すように、右上り（左下り）の直線形状の第１軌道を描く第１軌道ジェスチャー操作の実施を誘導可能な、当該直線形状（矩形状）の外枠を有する左用アイコンＬ１〜Ｌ５、及び、図１５（ｂ）に示すように、Ｖ字形状の第２軌道を描く第２軌道ジェスチャー操作の実施を誘導可能な、当該Ｖ字形状の外枠を有する右用アイコンＲ１〜Ｒ５を、スプリットビュー表示部２に表示させてもよい。なお、ここでは、第１軌道が右上り（左下り）の直線形状であり、第２軌道がＶ字形状であるものとして説明したが、これに限ったものではなく、もちろん、第１軌道がＶ字形状であり、第２軌道が左上り（右下り）の直線形状であってもよい。
【００８５】
実施の形態１では、第１規定操作に適用された第１軌道ジェスチャー操作、及び、第２規定操作に適用された第２軌道ジェスチャー操作は、いずれも一種のドラッグ操作であった。しかしこれに限ったものではなく、例えば、第１軌道ジェスチャーが、第１軌道をタッチパネル３に描くフリック操作またはピンチ操作であってもよく、第２軌道ジェスチャーが、第１軌道と異なる第２軌道をタッチパネル３に描くフリック操作またはピンチ操作であってもよい。
【００８６】
また、第１規定操作は、タッチパネル３にて第１軌道を描く第１軌道ジェスチャーではなく、指示体によりタッチパネル３を予め定められた第１の数の点でタッチする第１タッチ操作であってもよい。そして、例えば、第１タッチ操作が１点タッチ操作である（第１の数が１つである）構成において、制御部１４は、図１６（ａ）に示すように、通常の左用アイコンＬ１１〜Ｌ１５と、第１規定操作（１点タッチ操作）の実施を誘導可能な点３３１，３３２，３３３，３３４，３３５（以下「点３３１〜３３５」と記す）とをスプリットビュー表示部２に表示させてもよい。図１６（ａ）では、点３３１〜３３５（第１表示オブジェクト）のそれぞれの数と、第１タッチ操作の第１の数（ここでは１つ）とが同じであることから、点３３１〜３３５は、第１規定操作の実施を誘導することが可能となっている。
【００８７】
このような構成によれば、実施の形態１と同様に、左座席のユーザは、第１規定操作がどのような操作であるかを操作前に知ることができる。
【００８８】
同様に、第２規定操作は、タッチパネル３にて第２軌道を描く第２軌道ジェスチャーではなく、指示体によりタッチパネル３を第１の数と異なる予め定められた第２の数の点でタッチする第２タッチ操作であってもよい。そして、例えば、第２タッチ操作が２点タッチ操作である（第２の数が２つである）構成において、制御部１４は、図１６（ｂ）に示すように、通常の右用アイコンＲ１１〜Ｒ１５と、第２規定操作（２点タッチ操作）の実施を誘導可能な点３４１，３４２，３４３，３４４，３４５（以下「点３４１〜３４５」と記す）とをスプリットビュー表示部２に表示させてもよい。図１６（ｂ）では、点３４１〜３４５（第２表示オブジェクト）のそれぞれの数と、第２タッチ操作の第２の数（ここでは２つ）とが同じであることから、点３４１〜３４５は、第２規定操作の実施を誘導することが可能となっている。
【００８９】
このような構成によれば、実施の形態１と同様に、右座席のユーザは、第２規定操作がどのような操作であるかを操作前に知ることができる。
【００９０】
また、図１６（ａ）及び図１６（ｂ）に示した点３３１〜３３５及び点３４１〜３４５は、第１表示オブジェクト及び第２表示オブジェクトとして定義されるのではなく、左用アイコン及び右用アイコンの一部として定義されてもよい。
【００９１】
また、第１規定操作及び第２規定操作の一方がタッチ操作であり、他方が軌道ジェスチャー操作であってもよい。例えば、第１規定操作がタッチ操作であり、第２規定操作が軌道ジェスチャー操作である場合に、制御部１４は、図１６（ａ）に示した左用アイコンＬ１１〜Ｌ１５及び点３３１〜３３５を左用画像内に表示させるとともに、図８（ｂ）に示した右用アイコンＲ１〜Ｒ５を右用画像内に表示させてもよい。また、これとは別の例として、制御部１４は、図１７（ａ）に示すような通常の左用アイコンＬ１１〜Ｌ１５を左用画像内に表示させるとともに、図１７（ｂ）に示すように、図８（ｂ）と同様の右用アイコンＲ１〜Ｒ５を右用画像内に表示させてもよい。
【００９２】
さらに、第１規定操作がタッチ操作であり、第２規定操作が軌道ジェスチャー操作である場合の別の例として、制御部１４は、図１８（ａ）に示すように左用アイコンＬ２１，Ｌ２２，Ｌ２３，Ｌ２４，Ｌ２５（以下「左用アイコンＬ２１〜Ｌ２５」と記す）を左用画像内に表示させるとともに、図１８（ｂ）に示すような右用アイコンＲ１〜Ｒ５を右用画像内に表示させてもよい。図１８（ａ）及び図１８（ｂ）に示した例では、タッチ操作が実施される対象である左用アイコンＬ２１〜Ｌ２５の外枠形状は楕円形状となっており、軌道ジェスチャー操作が実施される対象である右用アイコンＲ１〜Ｒ５の外枠形状（矩形状）と異なっている。つまり、図１８（ａ）及び図１８（ｂ）に示した構成では、左用アイコン及び右用アイコンの形状（外枠形状）と、第１規定操作（タッチ操作）及び第２規定操作（軌道ジェスチャー操作）とがそれぞれ対応している。
【００９３】
＜実施の形態１の変形例２＞
実施の形態１においては、第１規定操作が実施されたと判定された場合に、当該第１規定操作を左用操作として判別した。しかしこれに限ったものではなく、第１規定操作を左用操作として判別する代わりに、当該第１規定操作後のジェスチャー操作（タッチ操作または軌道ジェスチャー操作）を左用操作として判別するものであってもよい。つまり、制御部１４は、第１規定操作後のジェスチャー操作が実施されたと操作入力処理部９にて判定された場合には、当該実施されたと判定されたジェスチャー操作を、左用操作として判別してもよい。
【００９４】
例えば、第１規定操作が１点タッチ操作である構成において、図１９（ａ）及び図１９（ｂ）に示されるように、指２１による１点タッチ操作後のドラッグ操作が、左用アイコンＬ１１及び右用アイコンＲ１１に対して実施されたものとする（図中の矢印２１Ｃは当該ドラッグ操作における指２１の軌道を示す）。この場合には、制御部１４は、当該ドラッグ操作を左用アイコンＬ１１に対する左用操作として判別してもよい。なお、第１規定操作後のジェスチャー操作として、ドラッグ操作の代わりにフリック操作などが適用された場合も同様である。この操作は、例えばアイコン外で操作を行う地図スクロール機能等に適用される。
【００９５】
また、実施の形態１においては、第２規定操作が実施されたと判定された場合に、当該第２規定操作を右用操作として判別した。しかしこれに限ったものではなく、第２規定操作を右用操作として判別する代わりに、当該第２規定操作後のジェスチャー操作（タッチ操作または軌道ジェスチャー操作）を右用操作として判別するものであってもよい。つまり、制御部１４は、第２規定操作後のジェスチャー操作が実施されたと操作入力処理部９にて判定された場合には、当該実施されたと判定されたジェスチャー操作を、右用操作として判別してもよい。
【００９６】
例えば、第２規定操作が２点タッチ操作である構成において、図２０（ａ）及び図２０（ｂ）に示されるように、指２１による２点タッチ操作後のドラッグ操作が、左用アイコンＬ１１及び右用アイコンＲ１１に対して実施されたものとする（図中の矢印２１Ｃは当該ドラッグ操作における指２１の軌道を示す）。この場合には、制御部１４は、当該ドラッグ操作を右用アイコンＲ１１に対する右用操作として判別してもよい。なお、第２規定操作後のジェスチャー操作として、ドラッグ操作の代わりにフリック操作などが適用された場合も同様である。
【００９７】
以上のような構成によれば、第１規定操作及び第２規定操作後のジェスチャー操作について、実施の形態１と同様の効果を得ることができる。
【００９８】
＜実施の形態２＞
本発明の実施の形態２に係るナビゲーション装置１のブロック構成は、実施の形態１のブロック構成と同じであることから、その図示については省略する。そして、本実施の形態２に係るナビゲーション装置１において、実施の形態１で説明した構成要素と同一または類似するものについては同じ符号を付し、以下においては異なる点を中心に説明する。
【００９９】
なお、本実施の形態２に係るスプリットビュー表示部２は、左用アイコン（第２アイコン）と、それが変形された左用アイコン（第１アイコン）と、右用アイコン（第４アイコン）と、それが変形された右用アイコン（第３アイコン）とを表示するものとする。
【０１００】
本実施の形態２に係るタッチパネル３は、ユーザ（運転者及び助手席の同乗者）の指２１などの指示体が検出面に近接した場合（図６）に、指示体との距離が最短となる検出面上の点の位置（Ｘ，Ｙ）と、指示体と検出面との間の距離Ｚとを、指示体の三次元の位置として検出する。距離Ｚ＝０である場合には、指２１がタッチパネル３の検出面に接触（タッチ）していることを意味する。
【０１０１】
本実施の形態２に係る操作入力処理部９は、実施の形態１で説明した判定を行うだけでなく、タッチパネル３の出力信号（指示体の三次元の位置を示す信号）に基づいて、第１規定操作が実施される前の行為として予め定義された第１行為（以下「第１事前行為」と記す）が実施されたか否かを判定する。ここでは、操作入力処理部９は、タッチパネル３の出力信号が示す距離Ｚが０より大きくかつ予め定められた第１閾値ＺＬ（例えば３〜１０ｃｍ程度）以下になったと判定した場合に、第１事前行為が実施されたと判定し、距離Ｚが第１閾値ＺＬより大きいと判定した場合には、第１事前行為が実施されなかったと判定する。
【０１０２】
同様に、操作入力処理部９は、タッチパネル３の出力信号（指示体の三次元の位置を示す信号）に基づいて、第２規定操作が実施される前の行為として予め定義された第２行為（以下「第２事前行為」と記す）が実施されたか否かを判定する。ここでは、操作入力処理部９は、タッチパネル３の出力信号が示す距離Ｚが０より大きくかつ予め定められた第２閾値ＺＲ（例えば３〜１０ｃｍ程度）以下になったと判定した場合に、第２事前行為が実施されたと判定し、距離Ｚが第２閾値ＺＲより大きいと判定した場合には、第２事前行為が実施されなかったと判定する。
【０１０３】
なお、第１閾値ＺＬ及び第２閾値ＺＲは、互いに異なる値であってもよいが、ここでは説明を簡単にするために、同じ値であるものとする。このような構成においては、第１事前行為が実施されたか否かを判定することと、第２事前行為が実施されたか否かを判定することとは実質的に同じとなる。
【０１０４】
本実施の形態２に係る制御部１４は、後で詳細に説明するように、タッチパネル３からの出力信号に基づいて、第１事前行為が実施されたと判定された場合に、通常の左用アイコン（第２アイコン）を、第１規定操作の実施を誘導可能な左用アイコン（第１アイコン）に変形する。すなわち、制御部１４は、タッチパネル３からの出力信号に基づいて、距離Ｚが０より大きくかつ第１閾値ＺＬ以下になったと判定された場合に、通常の左用アイコンを、第１規定操作の実施を誘導可能な左用アイコンに変形する。なお、本実施の形態２では、実施の形態１と同様に、第１規定操作は右上ドラッグ操作であるものとする。
【０１０５】
また、同様に、制御部１４は、タッチパネル３からの出力信号に基づいて、第２事前行為が実施されたと判定された場合に、通常の右用アイコン（第４アイコン）を、第２規定操作の実施を誘導可能な右用アイコン（第３アイコン）に変形する。すなわち、制御部１４は、タッチパネル３からの出力信号に基づいて、距離Ｚが０より大きくかつ第２閾値ＺＲ以下になったと判定された場合に、通常の右用アイコンを、第２規定操作の実施を誘導可能な右用アイコンに変形する。なお、本実施の形態２では、実施の形態１と同様に、第２規定操作は左上ドラッグ操作であるものとする。
【０１０６】
図２１は、本実施の形態２に係るナビゲーション装置１の動作を示すフローチャートである。なお、図２１に示すフローチャートは、図７に示したフローチャートのステップＳ３とステップＳ４との間に、ステップＳ２１及びステップＳ２２を追加したものと同じであることから、以下においては、ステップＳ２１及びステップＳ２２について主に説明する。
【０１０７】
まず、実施の形態１と同様に、ステップＳ１〜Ｓ３が行われる。図２２（ａ）及び図２２（ｂ）に、本実施の形態２に係るナビゲーション装置１（スプリットビュー表示部２）のステップＳ３における左用画像及び右用画像の表示例を示す。図２２（ａ）及び図２２（ｂ）に示されるように、制御部１４は、ステップＳ３にて、通常の左用アイコンＬ１１〜Ｌ１５（第２アイコン）と、通常の右用アイコンＲ１１〜Ｒ１５（第４アイコン）とをスプリットビュー表示部２に表示させる。なお、通常の左用アイコンＬ１１〜Ｌ１５には、例えば、第１規定操作の実施を明示的に誘導しない左用アイコンが適用され、通常の右用アイコンＲ１１〜Ｒ１５には、例えば、第２規定操作の実施を明示的に誘導しない右用アイコンが適用される。
【０１０８】
図２１のステップＳ２１にて、操作入力処理部９は、タッチパネル３からの出力信号に基づいて、第１事前行為が実施されたか否か、すなわち距離Ｚが０より大きくかつ第１閾値ＺＬ以下になったか否かを判定する。また、操作入力処理部９は、タッチパネル３からの出力信号に基づいて、第２事前行為が実施されたか否か、すなわち距離Ｚが０より大きくかつ第２閾値ＺＲ以下になったか否かを判定する。上述したように、ここでは第１閾値ＺＬ及び第２閾値ＺＲは同じ値であることから、操作入力処理部９は、第１事前行為が実施されたと判定した場合には、第２事前行為が実施されたとも判定することになる。
【０１０９】
第１事前行為が実施された（第２事前行為が実施された）と判定された場合には、ステップＳ２２に進み、第１事前行為が実施されなかった（第２事前行為が実施されなかった）と判定された場合にはステップＳ２１を再度行う。なお、ステップＳ２１を再度行う際において、地図が左用画像または右用画像として表示されており、かつ、自車の位置が変化していた場合には、制御部１４は、当該変化に応じて当該地図をスクロールさせてもよい。
【０１１０】
ステップＳ２２にて、制御部１４は、図２２（ａ）に示した、通常の左用アイコンＬ１１〜Ｌ１５（第２アイコン）を回転することにより、図８（ａ）に示した、第１規定操作の実施を誘導可能な左用アイコンＬ１〜Ｌ５（第１アイコン）に変形する。同様に、制御部１４は、図２２（ｂ）に示した、通常の右用アイコンＲ１１〜Ｒ１５（第４アイコン）を回転することにより、図８（ｂ）に示した、第２規定操作の実施を誘導可能な右用アイコンＲ１〜Ｒ５（第３アイコン）に変形する。そして、ステップＳ２２の後に、実施の形態１と同様に、ステップＳ４〜Ｓ１２を行う。
【０１１１】
＜効果＞
以上のような本実施の形態２に係るナビゲーション装置１によれば、第１事前行為が実施されたと判定された場合に、通常の左用アイコンＬ１１〜Ｌ１５を、第１規定操作の実施を誘導可能な左用アイコンＬ１〜Ｌ５に変形する。また、本実施の形態２に係るナビゲーション装置１によれば、第２事前行為が実施されたと判定された場合に、通常の右用アイコンＲ１１〜Ｒ１５を、第２規定操作の実施を誘導可能な右用アイコンＲ１〜Ｒ５に変形する。これにより、左用アイコンの機能を実行するためには第１規定操作を実施すべきこと、及び、右用アイコンの機能を実行するためには第２規定操作を実施すべきことについて、ユーザに印象的な通知を行なうことができる。
【０１１２】
なお、第１閾値ＺＬ＞第２閾値ＺＲとすると、運転者側の左用アイコンが早めに変化することになる。これにより、運転者側にて操作するまでの時間を助手席側に比べて長く取ることができ、運転者に余裕を持たせることができることから、運転者側にとって使用勝手が良いものとなる。
【０１１３】
＜実施の形態２の変形例１＞
実施の形態２では、制御部１４は、第１事前行為が実施されたと判定された場合に、通常の左用アイコンＬ１１〜Ｌ１５（図２２（ａ））を、第１規定操作の実施を誘導可能な左用アイコンＬ１〜Ｌ５（図８（ａ））に変形した。しかしこれに限ったものではなく、例えば、制御部１４は、通常の左用アイコンＬ１１〜Ｌ１５を変形する代わりに、当該左用アイコンＬ１１〜Ｌ１５に、矢印３１１〜３１５（図１２（ａ））及び点３３１〜３３５（図１６（ａ））などの第１表示オブジェクトを追加してもよい。あるいは、制御部１４は、通常の左用アイコンＬ１１〜Ｌ１５の変形、及び、第１表示オブジェクトの追加の両方を行ってもよい。
【０１１４】
また、実施の形態２では、制御部１４は、第２事前行為が実施されたと判定された場合に、通常の右用アイコンＲ１１〜Ｒ１５（図２２（ｂ））を、第２規定操作の実施を誘導可能な右用アイコンＲ１〜Ｒ５（図８（ｂ））に変形した。しかしこれに限ったものではなく、例えば、制御部１４は、通常の右用アイコンＲ１１〜Ｒ１５を変形する代わりに、当該右用アイコンＲ１１〜Ｒ１５に、矢印３２１〜３２５（図１２（ｂ））及び点３４１〜３４５（図１６（ｂ））などの第２表示オブジェクトを追加してもよい。あるいは、制御部１４は、通常の右用アイコンＲ１１〜Ｒ１５の変形、及び、第２表示オブジェクトの追加の両方を行ってもよい。
【０１１５】
＜実施の形態２の変形例２＞
実施の形態２では、制御部１４は、通常の左用アイコンＬ１１〜Ｌ１５（図２２（ａ））に回転のみを行うことにより、第１規定操作の実施を誘導可能な左用アイコンＬ１〜Ｌ５（図８（ａ））変形し、通常の右用アイコンＲ１１〜Ｒ１５（図２２（ｂ））に回転のみを行うことにより、第２規定操作の実施を誘導可能な右用アイコンＲ１〜Ｒ５（図８（ｂ））変形した。
【０１１６】
しかしこれに限ったものではなく、例えば、制御部１４は、通常の左用アイコンＬ１１〜Ｌ１５（図２２（ａ））を回転し、かつ細長い形状に変更することにより、図２３（ａ）に示すような第１規定操作（ここでは右上ドラッグ操作）の実施を誘導可能な左用アイコンＬ１〜Ｌ５に変形してもよい。同様に、制御部１４は、通常の右用アイコンＲ１１〜Ｒ１５（図２２（ｂ））を回転し、かつ細長い形状に変更することにより、図２３（ｂ）に示すような第２規定操作（ここでは左上ドラッグ操作）の実施を誘導可能な右用アイコンＲ１〜Ｒ５に変形してもよい。
【０１１７】
＜実施の形態２の変形例３＞
実施の形態２では、第１事前行為は、指示体とタッチパネル３との間の距離Ｚが第１閾値ＺＬ以下になった場合として定義されたが、これに限ったものではない。
【０１１８】
例えば、第１規定操作を除く、指示体によるタッチパネル３への予め定められた操作が、通常の左用アイコンＬ１１〜Ｌ１５（図２２（ａ））に対する操作として実施された場合として、第１事前行為が定義されてもよい。具体的には、第１規定操作が右上ドラッグ操作であり、第１事前行為として判定される操作が１点タッチ操作である構成において、１点タッチ操作が、図２２（ａ）に示した通常の左用アイコンＬ１１に対する操作として実施されたと判定されたとする。この場合に、制御部１４は、図２２（ａ）に示した左用アイコンＬ１１を、図８（ａ）に示した左用アイコンＬ１に変更してもよい。
【０１１９】
なお、第１事前行為は、第１規定操作でない操作（第１規定操作を除く操作）であることから、第１事前行為が左用アイコンに対して実施されたと判定された場合には、第１規定操作が左用アイコンに対して実施されたと判定されないことになる。したがって、この場合には、第１事前行為が実施された左用アイコンに対応付けられた機能は実行されずに、当該左用アイコンの変形が行われることになる。
【０１２０】
また、第１事前行為の上記定義と同様に、第２事前行為が定義されてもよい。すなわち、第２規定操作を除く、指示体によるタッチパネル３への予め定められた操作が、通常の右用アイコンＲ１１〜Ｒ１５（図２２（ｂ））に対する操作として実施された場合として、第２事前行為が定義されてもよい。
【０１２１】
また、タッチパネル３及び操作入力処理部９が、上述のジェスチャー操作（タッチ操作及び軌道ジェスチャー操作）だけでなく、アイコンに対する触れる程度が強い押し込み操作も検出可能に構成されてもよい。そして、その構成において、操作入力処理部９は、タッチパネル３からの出力信号に基づいて、左用アイコンへの押し込み操作が実施されたと判定した場合には、第１事前行為が実施されたと判定してもよいし、右用アイコンに対する押し込み操作が実施されたと判定された場合には、第２事前行為が実施されたと判定してもよい。また、この構成において、タッチ操作と押し込み操作とを互いに置き換えてもよい。すなわち、制御部１４は、左用アイコンへのタッチ操作が実施されたと判定された場合に、第１事前行為が実施されたと判定してもよいし、右用アイコンへのタッチ操作が実施されたと判定された場合に、第２事前行為が実施されたと判定してもよい。
【０１２２】
また、上記押し込み操作も検出可能な構成において、制御部１４は、距離Ｚが０より大きく、かつ第１閾値ＺＬまたは第２閾値ＺＲ以下となった場合に、押し込み操作が必要なアイコンを立体的に表示させてもよい。また、操作入力処理部９は、タッチパネル３からの出力信号に基づいて、アイコンへの軽いタッチ操作が実施されたと判定した場合には、当該タッチ操作は運転席側からの操作であるとして判定し、アイコンへの押し込み操作が実施されたと判定した場合には、当該押し込み操作は助手席側からの操作であると判定してもよい。このような構成にすれば、軽いタッチ操作が運転者の操作として判定されることから、運転者に有利な操作を実現することができる。また、軽いタッチ操作と押し込み操作とを判別する場合には、ジェスチャー操作の種類にかかわらず当該タッチ操作を有効にしてもよい。
【０１２３】
また、制御部１４は、指示体と検出面との間の距離Ｚだけでなく、図６に示した指示体の位置（Ｘ，Ｙ）も考慮することによって、第１事前行為が実施されたのか、第２事前行為が実施されたのかを区別して判定してもよい。例えば、図６に示した指示体の位置（Ｘ，Ｙ，Ｚ）が、左用アイコンを覆うドーム状（半球状）の空間領域内に位置すると操作入力処理部９にて判定された場合には、制御部１４は、第１事前行為が実施されたと判定してもよい。
【０１２４】
また、実施の形態２に係る制御部１４は、第１事前行為が実施されたと判定された場合に、通常の左用アイコンＬ１１〜Ｌ１５（図２２（ａ））の全てを回転することにより、第１規定操作の実施を誘導可能な左用アイコンＬ１〜Ｌ５（図８（ａ））に変形した。しかしこれに限ったものではなく、制御部１４は、第１事前行為が実施されたと判定された場合に、通常の左用アイコンＬ１１〜Ｌ１５の少なくともいずれか一つ（例えば指示体に最も近い一つの左用アイコン）を回転することにより、第１規定操作の実施を誘導可能な左用アイコンＬ１〜Ｌ５の少なくともいずれか一つに変形してもよい。同様に、制御部１４は、第２事前行為が実施されたと判定された場合に、通常の右用アイコンＲ１１〜Ｒ１５の少なくともいずれか一つ（例えば指示体に最も近い一つの右用アイコン）を回転することにより、第２規定操作の実施を誘導可能な右用アイコンＲ１〜Ｒ５の少なくともいずれか一つに変形してもよい。また、いずれか一つのアイコンを変形するだけでなく、例えば（Ｘ，Ｙ）座標などの指示体の位置から予め定められた距離内、または、当該位置を含む予め定められた範囲内に位置するアイコンを変形するように構成してもよい。なお、以上のことは、第１及び第２表示オブジェクトについても同様に行われてもよいし、実施の形態１においても同様に行われてもよい。
【０１２５】
＜実施の形態２の変形例４＞
実施の形態２で説明した動作（図２１）では、一度、第１事前行為が実施されたと判定されると、制御部１４は、通常の左用アイコンＬ１１〜Ｌ１５（図２２（ａ））を、第１規定操作の実施を誘導可能な左用アイコンＬ１〜Ｌ５（図８（ａ））に変形したままとなる。
【０１２６】
しかしこれに限ったものではなく、第１事前行為が実施されたと判定された後に再度ステップＳ２１の判定を行い、第１事前行為が実施されなくなったと判定された場合には、制御部１４は、左用アイコンＬ１〜Ｌ５（図８（ａ））を、左用アイコンＬ１１〜Ｌ１５（図２２（ａ））に戻してもよい。
【０１２７】
同様に、第２事前行為が実施されたと判定された後に再度ステップＳ２１の判定を行い、第２事前行為が実施されなくなったと判定された場合には、制御部１４は、右用アイコンＲ１〜Ｒ５（図８（ｂ））を、右用アイコンＲ１１〜Ｒ１５（図２２（ｂ））に戻してもよい。
【０１２８】
また、制御部１４は、タッチパネル３からの出力信号に基づいて、第１事前行為が実施中であると判定された場合に、通常の左用アイコン（第２アイコン）を、第１規定操作の実施を誘導可能な左用アイコン（第１アイコン）に変形してもよい。ここで、実施中であると判定される行為は、実施されたと判定された行為から継続する行為であってもよいし、継続しない行為であってもよい。後者の行為、すなわち実施されたと判定された行為から継続しない行為としては、例えば、距離Ｚが第１閾値ＺＬ１近傍である状況下で指示体が震えている場合などが考えられる。この場合、検出のタイミングによって判定結果がばらつかないようにするために、距離ＺにＬＰＦ（Low Pass Filter）信号処理補正を施してもよい。同様に、制御部１４は、タッチパネル３からの出力信号に基づいて、第２事前行為が実施中であると判定された場合に、通常の右用アイコン（第４アイコン）を、第２規定操作の実施を誘導可能な右用アイコン（第３アイコン）に変形してもよい。また、このことは、第１及び第２表示オブジェクトについても同様に行われてもよいし、実施の形態１または実施の形態３においても同様に行われてもよい。
【０１２９】
＜実施の形態１及び２に関するその他の変形例＞
これまでに説明した左用画像及び右用画像（例えば、図８（ａ）及び図８（ｂ）など）においては、左用アイコンＬ１〜Ｌ５のそれぞれの表示領域の少なくとも一部と、右用アイコンＲ１〜Ｒ５のそれぞれの表示領域の少なくとも一部とが、スプリットビュー表示部２の画面上において互いに重ねて配置されていた。しかしこれに限ったものではなく、左用アイコンＬ１〜Ｌ５の少なくとも１つの表示領域の少なくとも一部と、右用アイコンＲ１〜Ｒ５の少なくとも１つの表示領域の少なくとも一部とが、スプリットビュー表示部２の画面上において互いに重ねて配置されたものであればよい。
【０１３０】
さらに、スプリットビュー表示部２の画面上において互いに離間する左用アイコン及び右用アイコンに対して操作が実施されたと判定された場合には、制御部１４は、当該操作の種類に関わらず、当該実施されたアイコンの機能を実行してもよい。そして、この構成において、スプリットビュー表示部２の画面上において表示領域が右用アイコンと重なる左用アイコンのみが、第１規定操作の実行を誘導可能な左用アイコン（第１アイコン）として適用されてもよいし、スプリットビュー表示部２の画面上において表示領域が左用アイコンと重なる右用アイコンのみが、第２規定操作の実行を誘導可能な右用アイコン（第３アイコン）として適用されてもよい。
【０１３１】
また、説明の都合上、図１０〜図１９に示したように、１種類の形状のアイコンのみでアイコン配置画像を構成したが、これに限ったものではなく図１０〜図１９に示したアイコンを組み合せて複数種類の形状のアイコンでアイコン配置画像を構成してもよい。特に、類似機能を実行可能なアイコンについては同一形状を有するアイコン群を、異なる機能を実行可能なアイコンについては別の同一形状を有するアイコン群を採用してもよい。例えば、音量制御のためのアイコン群には、図１６のアイコンを採用し、ナビゲーション制御のためのアイコン群には、図１３のアイコンを採用して、同一のアイコン配置画像を構成してもよい。
【０１３２】
以上の説明では、入力部としてタッチパネル３を適用した構成について説明した。しかし、入力部は、アプリケーションの機能を実行するための左用画像に対する操作と、アプリケーションの機能を実行するための右用画像に対する操作とを一律に受け付けるものであればよく、タッチパネル３に限ったものではない。例えば、入力部には、スプリットビュー表示部２と離れて設けられたタッチパッドが適用されてもよい。このとき、タッチパッドには指示体の三次元の位置を求める機能を有し、タッチパッドの操作領域上の指示体の位置を、スプリットビュー表示部２の表示領域に対応付けておき、指示体の位置を示す点やアイコン表示で行ってもよい。
【０１３３】
＜実施の形態３＞
本発明に係る表示制御装置は、実施の形態１及び２で説明したナビゲーション装置１だけでなく、車両に搭載可能な、ＰＮＤ（Portable Navigation Device）、ナビゲーション機能を持たないが表示機能を有する所謂ディスプレイオーディオ、及び、携帯端末（例えば携帯電話機、スマートフォン、及びタブレットなど）、並びにサーバなどを適宜に組み合わせてシステムとして構築される表示制御装置にも適用することができる。この場合、以上で説明したナビゲーション装置１の各機能あるいは各構成要素は、前記システムを構築する各機器に分散して配置される。
【０１３４】
また、表示制御装置を、ＰＮＤ、携帯端末、パーソナルコンピュータ（以下「ＰＣ」と記す）、及び、サーバのいずれかに適用してもよい。本発明の実施の形態３では、表示制御装置をＰＣ５１に適用した場合を例にして説明する。図２４は、ＰＣ５１の構成の一例を示すブロック図である。ＰＣ５１は、表示部５２と、マウス（入力部）５３と、操作入力処理部５４と、インタフェース部５５と、記憶部５６と、画像生成部５７と、これらを統括的に制御する制御部５８とを備えて構成されている。
【０１３５】
表示部５２は、画像（第１画像）を表示可能である。表示部５２には、例えば任意の方向に対して同様の画像を表示可能な表示装置が適用される。以下、表示部５２に表示される画像内のアイコン（第１画像内の第１アイコン）を、「表示アイコン」と記す。
【０１３６】
外部操作を受け付けるマウス５３は、表示部５２の画像に表示されたカーソルを移動させる移動操作と、マウス５３に設けられたボタンを押すボタン操作とをユーザから受け付け、当該受け付けた操作に応じた信号を操作入力処理部５４に出力する。ここでは一例として、ボタン操作は、クリック操作、ダブルクリック操作及びドラッグ操作を含むものとして説明するが、これに限ったものではない。
【０１３７】
操作入力処理部５４は、マウス５３からの出力信号に基づいて、表示アイコン上にカーソルを移動させる移動操作が実施されたか否かを判定する。また、操作入力処理部５４は、マウス５３からの出力信号に基づいて、ボタン操作が実施されたか否かを判定する。
【０１３８】
なお、本実施の形態３では、第１規定操作は、実施の形態１と同様に、右上ドラッグ操作（予め定められた軌道を描く操作）であるものとする。上述したように、操作入力処理部５４は、ボタン操作が実施されたか否かを判定するように構成されていることから、第１規定操作が実施されたか否かを判定することが可能となっている。
【０１３９】
また、操作入力処理部５４は、マウス５３からの出力信号に基づいて、第１規定操作が実施される前の行為として予め定義された第１行為、すなわち第１事前行為が実施されたか否かを判定する。本実施の形態３では、第１事前行為は、第１規定操作を除く予め定められた操作が、表示アイコン（第２アイコン）に対する操作として実施された場合として定義されているものとする。以下では、その一例として、当該予め定められた操作は、表示アイコン上にカーソルを移動させる移動操作であるものとする。すなわち、操作入力処理部５４は、表示アイコン上にカーソルを移動させる移動操作が実施されたと判定した場合には、第１事前行為が実施されたと判定し、そうでない場合には、第１事前行為が実施されなかったと判定する。
【０１４０】
さらに、操作入力処理部５４は、カーソルが表示アイコン上に重ねられた状態で、ボタンが実施されたと判定した場合には、当該ボタン操作が当該表示アイコンに対して実施されたと判定する。
【０１４１】
操作入力処理部５４は、以上の判定結果を制御部５８に出力する。なお、図２４では、操作入力処理部５４は、制御部５８とは別に設けられているが、これに限ったものではなく、制御部５８の機能として制御部５８に備えられていてもよい。
【０１４２】
インタフェース部５５は、図示しない通信部などと制御部５８との間に接続されており、通信部などと制御部５８との間では、インタフェース部５５を介して各種情報や各種信号が双方向に出力される。
【０１４３】
記憶部５６は、制御部５８が動作するのに必要なプログラムのほか、制御部５８に用いられる情報を記憶している。制御部５８に用いられる情報には、例えば、アプリケーション及びアイコン配置画像などが含まれる。
【０１４４】
画像生成部５７は、制御部５８から出力された表示情報に基づいて、画像を表示するための表示信号を生成し、当該表示信号を表示部５２に出力する。表示部５２は、画像生成部５７から表示信号を受けると、当該表示信号に基づいて画像を表示する。
【０１４５】
制御部５８は、例えばＣＰＵから構成されており、当該ＣＰＵが記憶部５６に記憶されたプログラムを実行することにより、ＰＣ５１にて様々なアプリケーションを実行することが可能となっている。
【０１４６】
また、制御部５８は、実行可能な１以上のアプリケーションに対応する１つのアイコン配置画像を記憶部５６から取得し、当該取得したアイコン配置画像を画像として表示部５２に表示させる。これにより、当該アプリケーションの機能を実行する際に操作されるアイコンが、表示部５２の画像として表示される。
【０１４７】
また、制御部５８は、第１規定操作（ここでは右上ドラッグ操作）が実施されたと操作入力処理部５４にて判定された場合には、当該実施されたと判定された第１規定操作を、予め定められたアプリケーションの機能（以下「特別機能」と記す）を実行するための第１操作（以下「特別操作」と記す）として判別する。
【０１４８】
一方、制御部５８は、第１規定操作以外のボタン操作が実施されたと操作入力処理部５４にて判定された場合には、当該実施されたと判定されたボタン操作を、特別機能以外の、予め定められたアプリケーションの機能（以下「通常機能」と記す）を実行するための操作（以下「通常操作」）として判別する。
【０１４９】
また、制御部５８は、第１事前行為が実施されたと操作入力処理部５４にて判定された場合、具体的には、通常の表示アイコン（第２アイコン）上に、カーソルを移動させる移動操作が実施されたと判定された場合に、当該表示アイコンを、第１規定操作の実施を誘導可能な表示アイコン（第１アイコン）に変形する。つまり、制御部５８は、第１事前行為が実施されたと操作入力処理部５４にて判定された場合に、通常の表示アイコンを変形して、第１規定操作の内容を示す形態で表示アイコン（第１アイコン）を表示する。
【０１５０】
＜動作＞
図２５は、本実施の形態３に係るＰＣ５１の動作を示すフローチャートである。図２５に示される動作はＣＰＵが記憶部５６に記憶されたプログラムを実行することによって行われる。以下、ＰＣ５１の動作について図２５を用いて説明する。
【０１５１】
まず、ステップＳ３１にて、初期動作を実行するための操作が実施された場合に、制御部５８は初期動作を実行する。ここでは、初期動作として、制御部５８は、初期に実行すべきアプリケーションを記憶部５６から取得し、当該アプリケーションを実行する。
【０１５２】
ステップＳ３２にて、制御部５８は、実行されているアプリケーションに対応するアイコン配置画像を記憶部５６から取得する。
【０１５３】
ステップＳ３３にて、制御部５８は、取得したアイコン配置画像を表示部５２の画像として表示する。
【０１５４】
図２６は、本実施の形態３に係るＰＣ５１（表示部５２）のステップＳ３３における画像の表示例を示す図である。図２６に示されるように、制御部５８は、ステップＳ３３にて、通常の表示アイコンＤｉ１，Ｄｉ２，Ｄｉ３，Ｄｉ４，Ｄｉ５（以下これらのアイコンをまとめて「通常の表示アイコンＤｉ１〜Ｄｉ５」と記すこともある）を、表示部５２に表示させる。また、制御部５８は、マウス５３のカーソル６１も、表示部５２に表示させる。
【０１５５】
図２５のステップＳ３４にて、操作入力処理部５４は、マウス５３からの出力信号に基づいて、第１事前行為が実施されたか否か、すなわち表示アイコンＤｉ１〜Ｄｉ５のいずれか１つの上にカーソル６１を移動させる移動操作が実施されたか否かを判定する。
【０１５６】
第１事前行為が実施されたと判定された場合には、ステップＳ３５に進み、第１事前行為が実施されなかったと判定された場合にはステップＳ３４を再度行う。なお、以下においては、図２６に示した表示アイコンＤｉ１上にカーソル６１を移動させる移動操作が実施されたと判定されたものとして、ステップＳ３５以降を説明するが、表示アイコンＤｉ２，Ｄｉ３，Ｄｉ４，Ｄｉ５上にカーソルを移動させる移動操作が実施されたと判定された場合も以下と同様である。
【０１５７】
ステップＳ３５にて、制御部５８は、図２６に示した通常の表示アイコンＤｉ１（第２アイコン）を回転することにより、図２７に示す表示アイコンＤｉ１１（第１アイコン）に変形する。
【０１５８】
ここで、図２７に示した表示アイコンＤｉ１１の外枠形状と、第１規定操作である右上ドラッグ操作の軌道とが対応している。具体的には、表示アイコンＤｉ１１の長手方向が、右上ドラッグ操作として描くべき直線の延在方向に揃えられている。ユーザは、このようなアイコン表示を手がかりにすることにより、右上ドラッグ操作、つまり第１規定操作を実施することが可能となる。このように、ステップＳ３５にて、制御部５８は、第１規定操作の実施を誘導可能な表示アイコンＤｉ１１を、表示部５２に表示させる。
【０１５９】
図２５のステップＳ３６にて、操作入力処理部５４は、ボタン操作が実施されたか否かを判定する。ボタン操作が実施されたと判定された場合にはステップＳ３７に進み、実施されなかったと判定された場合にはステップＳ３６を再度行う。なお、ステップＳ３６を繰り返し行っている際において、通常の表示アイコンＤｉ２，Ｄｉ３，Ｄｉ４，Ｄｉ５上にカーソルを移動させる移動操作が実施される場合も想定されることから、適宜ステップＳ３４に戻ってもよい。
【０１６０】
ステップＳ３７にて、操作入力処理部５４は、ステップＳ３６のボタン操作が表示アイコンＤｉ１１に対して実施されたか否かを判定する。なお、この判定結果はステップＳ４０またはステップＳ４３にて用いられる。
【０１６１】
ステップＳ３８にて、操作入力処理部５４は、ステップＳ３６のボタン操作が、右上ドラッグ操作であったか否かを判定する。なお、右上ドラッグ操作でないと判定されるボタン操作としては、例えば、クリック操作及びダブルクリック操作などが想定される。
【０１６２】
右上ドラッグ操作であったと判定された場合にはステップＳ３９に進み、右上ドラッグ操作でなかったと判定された場合にはステップＳ４２に進む。
【０１６３】
ステップＳ３８からステップＳ３９に進んだ場合、ステップＳ３９にて、制御部５８は、ステップＳ３６のボタン操作、すなわち右上ドラッグ操作を特別操作として判別する。
【０１６４】
ステップＳ４０にて、制御部５８は、特別操作であると判別された右上ドラッグ操作が、表示アイコンＤｉ１１に対して実施されたか否かを、ステップＳ３７の判定結果に基づいて判断する。当該右上ドラッグ操作が、表示アイコンＤｉ１１に対して実施されたと判断された場合にはステップＳ４１に進み、そうでない場合にはステップＳ３６に戻る。
【０１６５】
ステップＳ４１にて、制御部５８は、右上ドラッグ操作が実施された表示アイコンＤｉ１１に予め対応付けられた特別機能を実行する。その後ステップＳ３６に戻る。なお、当該表示アイコンＤｉ１１の特別機能に対して、アイコン配置画像が予め対応付けられて記憶部５６に記憶されている場合には、ステップＳ４１からステップＳ３３に戻って、当該アイコン配置画像が表示部５２に表示されてもよい。
【０１６６】
ステップＳ３８からステップＳ４２に進んだ場合、ステップＳ４２にて、制御部５８は、ステップＳ３６のボタン操作を通常操作として判別する。
【０１６７】
ステップＳ４３にて、制御部５８は、通常操作として判別されたボタン操作が、表示アイコンＤｉ１１に対して実施されたか否かを、ステップＳ３７の判定結果に基づいて判断する。通常操作として判別されたボタン操作が、表示アイコンＤｉ１１に対して実施されたと判断された場合にはステップＳ４４に進み、そうでない場合にはステップＳ３６に戻る。
【０１６８】
ステップＳ４４にて、制御部５８は、ボタン操作が実施された表示アイコンＤｉ１１に予め対応付けられた通常機能を実行する。その後ステップＳ３６に戻る。なお、当該表示アイコンＤｉ１１の通常機能に対して、アイコン配置画像が予め対応付けられて記憶部５６に記憶されている場合には、ステップＳ４４からステップＳ３３に戻って、当該アイコン配置画像が表示部５２に表示されてもよい。
【０１６９】
＜効果＞
以上のような本実施の形態３に係るＰＣ５１によれば、第１規定操作（ここでは右上ドラッグ操作）が実施されたと判定された場合には、当該第１規定操作を特別操作として判別する。したがって、ユーザは、特別機能及び通常機能のうち望む機能を選択的に実行することができる。
【０１７０】
また、本実施の形態３によれば、第１規定操作（ここでは右上ドラッグ操作）の実施を誘導可能な表示アイコンＤｉ１１が表示される。したがって、ユーザは、その表示を手がかりにして、第１規定操作がどのような操作であるかを操作前に知ることができる。
【０１７１】
また、本実施の形態３によれば、第１事前行為が実施されたと判定された場合に、通常の表示アイコンＤｉ１を、第１規定操作の実施を誘導可能な表示アイコンＤｉ１１に変形する。これにより、これにより、特別機能を実行するためには第１規定操作を実施すべきことについて、ユーザに印象的な通知を行なうことができる。
【０１７２】
＜実施の形態３の変形例＞
実施の形態３では、制御部５８は、第１事前行為が実施されたと判定された場合に、通常の表示アイコンＤｉ１を、第１規定操作の実施を誘導可能な表示アイコンＤｉ１１に変形した（図２６，図２７）。しかしこれに限ったものではなく、制御部５８は、通常の表示アイコンＤｉ１を変形する代わりに、当該表示アイコンＤｉ１に、図１２（ａ）に示したような、右上ドラッグ操作の軌道と対応する矢印３１１（第１表示オブジェクト）を追加してもよい。あるいは、制御部５８は、第１事前行為が実施されたと判定された場合に、表示アイコンＤｉ１の変形、及び、矢印３１１（第１表示オブジェクト）の追加の両方を行ってもよい。
【０１７３】
また、実施の形態３に係る制御部５８は、第１事前行為が実施されたと判定された場合に、１つの通常の表示アイコンＤｉ１（図２６）を回転することにより、第１規定操作の実施を誘導可能な１つの表示アイコンＤｉ１１（図２７）に変形した。しかしこれに限ったものではなく、制御部５８は、第１事前行為が実施されたと判定された場合に、通常の表示アイコンＤｉ１〜Ｄｉ５の少なくともいずれか一つを回転することにより、第１規定操作の実施を誘導可能な表示アイコンの少なくともいずれか一つに変形してもよい。
【０１７４】
また、制御部５８は、第１規定操作の実施を誘導可能な表示アイコンＤｉ１１及び矢印３１１（第１表示オブジェクト）の少なくともいずれか１つを、図１１（ａ）及び図１４（ａ）に示したように、アニメーション（動画像）によって表示させてもよい。このような構成によれば、ユーザは、第１規定操作がどのような操作であるかをより具体的に知ることができる。
【０１７５】
また、制御部５８は、実施の形態１と同様に、第１事前行為が実施されたか否かに関わらず、第１規定操作の実施を誘導可能な表示アイコンＤｉ１１及び矢印３１１（第１表示オブジェクト）の少なくともいずれか１つを表示部５２に表示させてもよい。
【０１７６】
また、第１規定操作には、複数の軌道操作が適用されてもよい。例えば、図２８に示す例では、第１規定操作として、第１軌道（図２８では右上りの方向に延在する直線軌道）を描く第１軌道操作と、第２軌道（図２８では左上りの方向に延在する直線軌道）を描く第２軌道操作とが適用されている。このような構成において、制御部５８は、第１軌道操作の第１軌道と、第２軌道操作の第２軌道とに対応する十字形状の表示アイコンＤｉ１１を表示部５２に表示させてもよい。
【０１７７】
なお、マウス５３の代わりに、タッチパネルまたはタッチパッドを用いてもよい。そして、第１事前行為が、指などの指示体とタッチパネルまたはタッチパッドとの間の距離Ｚが予め定められた第１閾値以下になった場合として定義されてもよい。また、第１規定操作が、指示体によりタッチパネルまたはタッチパッドを予め定められた第１の数の点でタッチする第１タッチ操作を含む場合には、制御部５８は、第１表示オブジェクトに含まれる点の数と、第１タッチ操作の第１の数とが同じとなるような第１表示オブジェクトを表示させてもよい。
【０１７８】
なお、本発明は、その発明の範囲内において、各実施の形態及び各変形例を自由に組み合わせたり、各実施の形態及び各変形例を適宜、変形、省略したりすることが可能である。
【０１７９】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【０１８０】
１  ナビゲーション装置、２  スプリットビュー表示部、３  タッチパネル、１４，５８  制御部、２１  指、５１  ＰＣ、５２  表示部、５３  マウス、Ｄｉ１〜Ｄｉ５，Ｄｉ１１  表示アイコン、Ｌ１〜Ｌ５，Ｌ１１〜Ｌ１５  左用アイコン、Ｒ１〜Ｒ５，Ｒ１１〜Ｒ１５  右用アイコン。
【図１】
2015083264.tif 000003
【図２】
2015083264.tif 000004
【図３】
2015083264.tif 000005
【図４】
2015083264.tif 000006
【図５】
2015083264.tif 000007
【図６】
2015083264.tif 000008
【図７】
2015083264.tif 000009
【図８】
2015083264.tif 000010
【図９】
2015083264.tif 000011
【図１０】
2015083264.tif 000012
【図１１】
2015083264.tif 000013
【図１２】
2015083264.tif 000014
【図１３】
2015083264.tif 000015
【図１４】
2015083264.tif 000016
【図１５】
2015083264.tif 000017
【図１６】
2015083264.tif 000018
【図１７】
2015083264.tif 000019
【図１８】
2015083264.tif 000020
【図１９】
2015083264.tif 000021
【図２０】
2015083264.tif 000022
【図２１】
2015083264.tif 000023
【図２２】
2015083264.tif 000024
【図２３】
2015083264.tif 000025
【図２４】
2015083264.tif 000026
【図２５】
2015083264.tif 000027
【図２６】
2015083264.tif 000028
【図２７】
2015083264.tif 000029
【図２８】
2015083264.tif 000030
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
第１画像を表示可能な表示部を制御する表示制御装置であって、
外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する制御部
を備え、
前記制御部は、
前記第１規定操作の実施を誘導可能な、前記第１画像内の第１アイコン及び第１表示オブジェクトの少なくともいずれか１つを前記表示部に表示させ、
前記制御部は、
前記入力部からの出力信号に基づいて、前記第１規定操作が実施される前の行為として予め定義された第１行為が実施されたまたは実施中であると判定された場合に、前記第１画像内の第２アイコンを前記第１アイコンに変形すること、及び、前記第１画像内に前記第１表示オブジェクトを追加することの少なくともいずれか１つを行い、
前記第１規定操作は、前記第１アイコンに対する、予め定められた軌道を描く操作を含み、
前記第１アイコンの外枠形状、及び、前記第１表示オブジェクトに含まれる矢印の形状の少なくともいずれか１つと、前記軌道とが対応する、表示制御装置。
【請求項２】
第１画像を表示可能な表示部を制御する表示制御装置であって、
外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する制御部
を備え、
前記制御部は、
前記第１規定操作の実施を誘導可能な、前記第１画像内の第１アイコン及び第１表示オブジェクトの少なくともいずれか１つを前記表示部に表示させ、
前記制御部は、
前記入力部からの出力信号に基づいて、前記第１規定操作が実施される前の行為として予め定義された第１行為が実施されたまたは実施中であると判定された場合に、前記第１画像内の第２アイコンを前記第１アイコンに変形すること、及び、前記第１画像内に前記第１表示オブジェクトを追加することの少なくともいずれか１つを行い、
前記第１規定操作は、前記第１アイコンに対する、予め定められた第１の数の点でタッチする第１タッチ操作を含み、
前記第１表示オブジェクトに含まれる点の数と、前記第１タッチ操作の前記第１の数とが同じである、表示制御装置。
【請求項３】
請求項１または請求項２に記載の表示制御装置であって、
前記第１アイコンは、前記第１規定操作の内容を示す形態で表示される、表示制御装置。
【請求項４】
請求項１から請求項３のうちのいずれか１項に記載の表示制御装置であって、
前記第１行為は、
前記第１規定操作を除く予め定められた操作が前記第２アイコンに対する操作として実施された場合、として定義される、表示制御装置。
【請求項５】
請求項１から請求項３のうちのいずれか１項に記載の表示制御装置であって、
前記第１行為は、
指示体と前記入力部との間の距離が予め定められた第１閾値以下になった場合として定義される、表示制御装置。
【請求項６】
請求項１から請求項５のうちのいずれか１項に記載の表示制御装置であって、
前記制御部は、
前記第１アイコン及び前記第１表示オブジェクトの少なくともいずれか１つをアニメーションによって表示させる、表示制御装置。
【請求項７】
請求項１に記載の表示制御装置であって、
前記表示部は、
第１方向にて視認可能であるが第２方向にて視認できない画像を前記第１画像として表示することが可能であるとともに、前記第１画像と同じ１つの画面上に、前記第２方向にて視認可能であるが前記第１方向にて視認できない第２画像を表示することが可能であり、
前記第１操作は、
アプリケーションの機能を実行するための前記第１画像に対する操作であり、
前記入力部は、
前記第１操作と、アプリケーションの機能を実行するための前記第２画像に対する第２操作とを一律に受け付け、
前記制御部は、
前記入力部からの出力信号に基づいて、前記第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別し、かつ、前記第２規定操作の実施を誘導可能な、前記第２画像内の第３アイコン及び第２表示オブジェクトの少なくともいずれか１つを前記表示部に表示させる、表示制御装置。
【請求項８】
請求項２に記載の表示制御装置であって、
前記表示部は、
第１方向にて視認可能であるが第２方向にて視認できない画像を前記第１画像として表示することが可能であるとともに、前記第１画像と同じ１つの画面上に、前記第２方向にて視認可能であるが前記第１方向にて視認できない第２画像を表示することが可能であり、
前記第１操作は、
アプリケーションの機能を実行するための前記第１画像に対する操作であり、
前記入力部は、
前記第１操作と、アプリケーションの機能を実行するための前記第２画像に対する第２操作とを一律に受け付け、
前記制御部は、
前記入力部からの出力信号に基づいて、前記第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別し、かつ、前記第２規定操作の実施を誘導可能な、前記第２画像内の第３アイコン及び第２表示オブジェクトの少なくともいずれか１つを前記表示部に表示させる、表示制御装置。
【請求項９】
請求項７または請求項８に記載の表示制御装置であって、
前記制御部は、
前記入力部からの出力信号に基づいて、前記第１規定操作が実施される前の行為として予め定義された第１行為が実施されたまたは実施中であると判定された場合に、前記第１画像内の第２アイコンを前記第１アイコンに変形すること、及び、前記第１画像内に前記第１表示オブジェクトを追加することの少なくともいずれか１つを行い、かつ、
前記入力部からの出力信号に基づいて、前記第２規定操作が実施される前の行為として予め定義された第２行為が実施されたまたは実施中であると判定された場合に、前記第２画像内の第４アイコンを前記第３アイコンに変形すること、及び、前記第２画像内に前記第２表示オブジェクトを追加することの少なくともいずれか１つを行う、表示制御装置。
【請求項１０】
請求項９に記載の表示制御装置であって、
前記第１行為は、
指示体と前記入力部との間の距離が予め定められた第１閾値以下になった場合、または、前記第１規定操作を除く、指示体による前記入力部への予め定められた操作が前記第２アイコンに対する操作として実施された場合、として定義され、
前記第２行為は、
指示体と前記入力部との間の距離が予め定められた第２閾値以下になった場合、または、前記第２規定操作を除く、指示体による前記入力部への予め定められた操作が前記第４アイコンに対する操作として実施された場合、として定義される、表示制御装置。
【請求項１１】
請求項７に記載の表示制御装置であって、
前記第１規定操作は、前記第１アイコンに対する、予め定められた第１軌道を描く第１ジェスチャー操作を含み、
前記第１アイコンの外枠形状、及び、前記第１表示オブジェクトに含まれる矢印の形状の少なくともいずれか１つと、前記第１ジェスチャー操作の前記第１軌道とが対応する、表示制御装置。
【請求項１２】
請求項１１に記載の表示制御装置であって、
前記第２規定操作は、前記第３アイコンに対する、前記第１軌道と異なる予め定められた第２軌道を描く第２ジェスチャー操作を含み、
前記第３アイコンの外枠形状、及び、前記第２表示オブジェクトに含まれる矢印の形状の少なくともいずれか１つと、前記第２ジェスチャー操作の前記第２軌道とが対応する、表示制御装置。
【請求項１３】
請求項８に記載の表示制御装置であって、
前記第１規定操作は、前記第１アイコンに対する、予め定められた第１の数の点でタッチする第１タッチ操作を含み、
前記第１表示オブジェクトに含まれる点の数と、前記第１タッチ操作の前記第１の数とが同じである、表示制御装置。
【請求項１４】
請求項１３に記載の表示制御装置であって、
前記第２規定操作は、前記第３アイコンに対する、前記第１の数と異なる予め定められた第２の数の点でタッチする第２タッチ操作を含み、
前記第２表示オブジェクトに含まれる点の数と、前記第２タッチ操作の前記第２の数とが同じである、表示制御装置。
【請求項１５】
請求項７から請求項１４のうちのいずれか１項に記載の表示制御装置であって、
前記制御部は、
前記第１アイコン、前記第１表示オブジェクト、前記第３アイコン、及び、前記第２表示オブジェクトの少なくともいずれか１つをアニメーションによって表示させる、表示制御装置。
【請求項１６】
第１画像を表示可能な表示部を制御する表示制御方法であって、
（ａ）外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する工程と、
（ｂ）前記工程（ａ）の前に、前記第１規定操作の実施を誘導可能な、前記第１画像内の第１アイコン及び第１表示オブジェクトの少なくともいずれか１つを前記表示部に表示させる工程と
を備え、
前記工程（ｂ）において、前記入力部からの出力信号に基づいて、前記第１規定操作が実施される前の行為として予め定義された第１行為が実施されたまたは実施中であると判定された場合に、前記第１画像内の第２アイコンを前記第１アイコンに変形すること、及び、前記第１画像内に前記第１表示オブジェクトを追加することの少なくともいずれか１つを行う、表示制御方法。
【手続補正２】
【補正対象書類名】明細書
【補正対象項目名】０００８
【補正方法】変更
【補正の内容】
【０００８】
本発明に係る表示制御装置は、第１画像を表示可能な表示部を制御する表示制御装置であって、外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する制御部を備える。制御部は、第１規定操作の実施を誘導可能な、第１画像内の第１アイコン及び第１表示オブジェクトの少なくともいずれか１つを表示部に表示させる。制御部は、入力部からの出力信号に基づいて、第１規定操作が実施される前の行為として予め定義された第１行為が実施されたまたは実施中であると判定された場合に、第１画像内の第２アイコンを第１アイコンに変形すること、及び、第１画像内に第１表示オブジェクトを追加することの少なくともいずれか１つを行い、第１規定操作は、第１アイコンに対する、予め定められた軌道を描く操作を含み、第１アイコンの外枠形状、及び、第１表示オブジェクトに含まれる矢印の形状の少なくともいずれか１つと、軌道とが対応する。
【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
第１画像を表示可能な表示部を制御する表示制御装置であって、
外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する制御部
を備え、
前記制御部は、
前記第１規定操作の実施を誘導可能な、前記第１画像内の第１アイコンを前記表示部に表示させ、
前記制御部は、
前記入力部からの出力信号に基づいて、前記第１規定操作が実施される前の行為として予め定義された第１行為が実施されたまたは実施中であると判定された場合に、前記第１画像内の第２アイコンを前記第１アイコンに変形することを行う、表示制御装置。
【請求項２】
請求項１に記載の表示制御装置であって、
前記第１行為は、
前記第１規定操作を除く予め定められた操作が前記第２アイコンに対する操作として実施された場合、として定義される、表示制御装置。
【請求項３】
請求項１に記載の表示制御装置であって、
前記第１行為は、
指示体と前記入力部との間の距離が予め定められた第１閾値以下になった場合として定義される、表示制御装置。
【請求項４】
請求項１から請求項３のうちのいずれか１項に記載の表示制御装置であって、
前記制御部は、
前記第１アイコンをアニメーションによって表示させる、表示制御装置。
【請求項５】
請求項１から請求項４のうちのいずれか１項に記載の表示制御装置であって、
前記表示部は、
第１方向にて視認可能であるが第２方向にて視認できない画像を前記第１画像として表示することが可能であるとともに、前記第１画像と同じ１つの画面上に、前記第２方向にて視認可能であるが前記第１方向にて視認できない第２画像を表示することが可能であり、
前記第１操作は、
アプリケーションの機能を実行するための前記第１画像に対する操作であり、
前記入力部は、
前記第１操作と、アプリケーションの機能を実行するための前記第２画像に対する第２操作とを一律に受け付け、
前記制御部は、
前記入力部からの出力信号に基づいて、前記第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別し、かつ、前記第２規定操作の実施を誘導可能な、前記第２画像内の第３アイコンを前記表示部に表示させる、表示制御装置。
【請求項６】
請求項５に記載の表示制御装置であって、
前記制御部は、
前記入力部からの出力信号に基づいて、前記第１規定操作が実施される前の行為として予め定義された第１行為が実施されたまたは実施中であると判定された場合に、前記第１画像内の第２アイコンを前記第１アイコンに変形することを行い、かつ、
前記入力部からの出力信号に基づいて、前記第２規定操作が実施される前の行為として予め定義された第２行為が実施されたまたは実施中であると判定された場合に、前記第２画像内の第４アイコンを前記第３アイコンに変形することを行う、表示制御装置。
【請求項７】
請求項６に記載の表示制御装置であって、
前記第１行為は、
指示体と前記入力部との間の距離が予め定められた第１閾値以下になった場合、または、前記第１規定操作を除く、指示体による前記入力部への予め定められた操作が前記第２アイコンに対する操作として実施された場合、として定義され、
前記第２行為は、
指示体と前記入力部との間の距離が予め定められた第２閾値以下になった場合、または、前記第２規定操作を除く、指示体による前記入力部への予め定められた操作が前記第４アイコンに対する操作として実施された場合、として定義される、表示制御装置。
【請求項８】
請求項１から請求項７のうちのいずれか１項に記載の表示制御装置であって、
前記第１規定操作は、前記第１アイコンに対する、予め定められた第１軌道を描く第１ジェスチャー操作を含み、
前記第１アイコンの外枠形状と、前記第１ジェスチャー操作の前記第１軌道とが対応する、表示制御装置。
【請求項９】
請求項５から請求項７のうちのいずれか１項に記載の表示制御装置であって、
前記第１規定操作は、前記第１アイコンに対する、予め定められた第１軌道を描く第１ジェスチャー操作を含み、
前記第１アイコンの外枠形状と、前記第１ジェスチャー操作の前記第１軌道とが対応し、
前記第２規定操作は、前記第３アイコンに対する、前記第１軌道と異なる予め定められた第２軌道を描く第２ジェスチャー操作を含み、
前記第３アイコンの外枠形状と、前記第２ジェスチャー操作の前記第２軌道とが対応する、表示制御装置。
【請求項１０】
請求項５に記載の表示制御装置であって、
前記制御部は、
前記第１アイコン、または、前記第３アイコンをアニメーションによって表示させる、表示制御装置。
【請求項１１】
第１画像を表示可能な表示部を制御する表示制御装置であって、
外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する制御部
を備え、
前記制御部は、
前記第１画像内の第１アイコンと、前記第１規定操作の実施を誘導可能な第１画像内の第１表示オブジェクトとを前記表示部に表示させ、
前記制御部は、
前記入力部からの出力信号に基づいて、前記第１規定操作が実施される前の行為として予め定義された第１行為が実施されたまたは実施中であると判定された場合に、前記第１画像内に前記第１表示オブジェクトを追加することを行い、
前記第１規定操作は、前記第１アイコンに対する、予め定められた第１軌道を描く操作を含み、
前記第１表示オブジェクトに含まれる矢印の形状と、前記第１軌道とが対応し、
前記表示部は、
第１方向にて視認可能であるが第２方向にて視認できない画像を前記第１画像として表示することが可能であるとともに、前記第１画像と同じ１つの画面上に、前記第２方向にて視認可能であるが前記第１方向にて視認できない第２画像を表示することが可能であり、
前記第１操作は、
アプリケーションの機能を実行するための前記第１画像に対する操作であり、
前記入力部は、
前記第１操作と、アプリケーションの機能を実行するための前記第２画像に対する第２操作とを一律に受け付け、
前記制御部は、
前記入力部からの出力信号に基づいて、前記第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別し、かつ、前記第２画像内の第３アイコンと、前記第２規定操作の実施を誘導可能な前記第２画像内の第２表示オブジェクトとを前記表示部に表示させる、表示制御装置。
【請求項１２】
第１画像を表示可能な表示部を制御する表示制御装置であって、
外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する制御部
を備え、
前記制御部は、
前記第１画像内の第１アイコンと、前記第１規定操作の実施を誘導可能な第１画像内の第１表示オブジェクトとを前記表示部に表示させ、
前記制御部は、
前記入力部からの出力信号に基づいて、前記第１規定操作が実施される前の行為として予め定義された第１行為が実施されたまたは実施中であると判定された場合に、前記第１画像内に前記第１表示オブジェクトを追加することを行い、
前記第１規定操作は、前記第１アイコンに対する、予め定められた第１の数の点でタッチする第１タッチ操作を含み、
前記第１表示オブジェクトに含まれる点の数と、前記第１タッチ操作の前記第１の数とが同じであり、
前記表示部は、
第１方向にて視認可能であるが第２方向にて視認できない画像を前記第１画像として表示することが可能であるとともに、前記第１画像と同じ１つの画面上に、前記第２方向にて視認可能であるが前記第１方向にて視認できない第２画像を表示することが可能であり、
前記第１操作は、
アプリケーションの機能を実行するための前記第１画像に対する操作であり、
前記入力部は、
前記第１操作と、アプリケーションの機能を実行するための前記第２画像に対する第２操作とを一律に受け付け、
前記制御部は、
前記入力部からの出力信号に基づいて、前記第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別し、かつ、前記第２画像内の第３アイコンと、前記第２規定操作の実施を誘導可能な前記第２画像内の第２表示オブジェクトとを前記表示部に表示させる、表示制御装置。
【請求項１３】
請求項１１または請求項１２に記載の表示制御装置であって、
前記第１行為は、
指示体と前記入力部との間の距離が予め定められた第１閾値以下になった場合として定義される、表示制御装置。
【請求項１４】
請求項１１から請求項１３のうちのいずれか１項に記載の表示制御装置であって、
前記制御部は、
前記第１表示オブジェクト、または、前記第２表示オブジェクトをアニメーションによって表示させる、表示制御装置。
【請求項１５】
請求項１１から請求項１４のうちのいずれか１項に記載の表示制御装置であって、
前記制御部は、
前記入力部からの出力信号に基づいて、前記第１規定操作が実施される前の行為として予め定義された第１行為が実施されたまたは実施中であると判定された場合に、前記第１画像内に前記第１表示オブジェクトを追加することを行い、かつ、
前記入力部からの出力信号に基づいて、前記第２規定操作が実施される前の行為として予め定義された第２行為が実施されたまたは実施中であると判定された場合に、前記第２画像内に前記第２表示オブジェクトを追加することを行う、表示制御装置。
【請求項１６】
請求項１１に記載の表示制御装置であって、
前記第２規定操作は、前記第３アイコンに対する、前記第１軌道と異なる予め定められた第２軌道を描く第２ジェスチャー操作を含み、
前記第２表示オブジェクトに含まれる矢印の形状と、前記第２ジェスチャー操作の前記第２軌道とが対応する、表示制御装置。
【請求項１７】
請求項１２に記載の表示制御装置であって、
前記第２規定操作は、前記第３アイコンに対する、前記第１の数と異なる予め定められた第２の数の点でタッチする第２タッチ操作を含み、
前記第２表示オブジェクトに含まれる点の数と、前記第２タッチ操作の前記第２の数とが同じである、表示制御装置。
【請求項１８】
請求項１から請求項１７のうちのいずれか１項に記載の表示制御装置であって、
前記第１アイコンは、前記第１規定操作の実施を誘導可能な内容を示す形態で表示される、表示制御装置。
【請求項１９】
第１画像を表示可能な表示部を制御する表示制御方法であって、
（ａ）外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する工程と、
（ｂ）前記工程（ａ）の前に、前記第１規定操作の実施を誘導可能な、前記第１画像内の第１アイコンを前記表示部に表示させる工程と
を備え、
前記工程（ｂ）において、前記入力部からの出力信号に基づいて、前記第１規定操作が実施される前の行為として予め定義された第１行為が実施されたまたは実施中であると判定された場合に、前記第１画像内の第２アイコンを前記第１アイコンに変形することを行う、表示制御方法。
【請求項２０】
請求項１９に記載の表示制御方法であって、
前記工程（ｂ）において、
第１方向にて視認可能であるが第２方向にて視認できない画像を前記第１画像として表示することが可能であるとともに、前記第１画像と同じ１つの画面上に、前記第２方向にて視認可能であるが前記第１方向にて視認できない第２画像を表示することが可能であり、
前記第１操作は、
アプリケーションの機能を実行するための前記第１画像に対する操作であり、
前記工程（ａ）において、
前記第１操作と、アプリケーションの機能を実行するための前記第２画像に対する第２操作とを一律に受け付け、
前記工程（ｂ）において、
前記入力部からの出力信号に基づいて、前記第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別し、かつ、前記第２規定操作の実施を誘導可能な、前記第２画像内の第３アイコンを前記表示部に表示させる、表示制御方法。
【請求項２１】
第１画像を表示可能な表示部を制御する表示制御方法であって、
（ａ）外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する工程と、
（ｂ）前記工程（ａ）の前に、前記第１画像内の第１アイコンと、前記第１規定操作の実施を誘導可能な第１画像内の第１表示オブジェクトとを前記表示部に表示させる工程と
を備え、
前記工程（ｂ）において、前記入力部からの出力信号に基づいて、前記第１規定操作が実施される前の行為として予め定義された第１行為が実施されたまたは実施中であると判定された場合に、前記第１画像内に前記第１表示オブジェクトを追加することを行い、
前記第１規定操作は、前記第１アイコンに対する、予め定められた第１軌道を描く操作を含み、
前記第１表示オブジェクトに含まれる矢印の形状と、前記第１軌道とが対応し、
前記工程（ｂ）において、
第１方向にて視認可能であるが第２方向にて視認できない画像を前記第１画像として表示することが可能であるとともに、前記第１画像と同じ１つの画面上に、前記第２方向にて視認可能であるが前記第１方向にて視認できない第２画像を表示することが可能であり、
前記第１操作は、
アプリケーションの機能を実行するための前記第１画像に対する操作であり、
前記工程（ａ）において、
前記第１操作と、アプリケーションの機能を実行するための前記第２画像に対する第２操作とを一律に受け付け、
前記工程（ｂ）において、
前記入力部からの出力信号に基づいて、前記第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別し、かつ、前記第２画像内の第３アイコンと、前記第２規定操作の実施を誘導可能な前記第２画像内の第２表示オブジェクトとを前記表示部に表示させる、表示制御方法。
【請求項２２】
第１画像を表示可能な表示部を制御する表示制御方法であって、
（ａ）外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する工程と、
（ｂ）前記工程（ａ）の前に、前記第１画像内の第１アイコンと、前記第１規定操作の実施を誘導可能な第１画像内の第１表示オブジェクトとを前記表示部に表示させる工程と
を備え、
前記工程（ｂ）において、前記入力部からの出力信号に基づいて、前記第１規定操作が実施される前の行為として予め定義された第１行為が実施されたまたは実施中であると判定された場合に、前記第１画像内に前記第１表示オブジェクトを追加することを行い、
前記第１規定操作は、前記第１アイコンに対する、予め定められた第１の数の点でタッチする第１タッチ操作を含み、
前記第１表示オブジェクトに含まれる点の数と、前記第１タッチ操作の前記第１の数とが同じであり、
前記工程（ｂ）において、
第１方向にて視認可能であるが第２方向にて視認できない画像を前記第１画像として表示することが可能であるとともに、前記第１画像と同じ１つの画面上に、前記第２方向にて視認可能であるが前記第１方向にて視認できない第２画像を表示することが可能であり、
前記第１操作は、
アプリケーションの機能を実行するための前記第１画像に対する操作であり、
前記工程（ａ）において、
前記第１操作と、アプリケーションの機能を実行するための前記第２画像に対する第２操作とを一律に受け付け、
前記工程（ｂ）において、
前記入力部からの出力信号に基づいて、前記第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別し、かつ、前記第２画像内の第３アイコンと、前記第２規定操作の実施を誘導可能な前記第２画像内の第２表示オブジェクトとを前記表示部に表示させる、表示制御方法。
【手続補正２】
【補正対象書類名】明細書
【補正対象項目名】０００８
【補正方法】変更
【補正の内容】
【０００８】
本発明に係る表示制御装置は、第１画像を表示可能な表示部を制御する表示制御装置であって、外部操作を受け付ける入力部からの出力信号に基づいて、予め規定された第１規定操作が実施されたと判定された場合に、当該実施されたと判定された第１規定操作を、予め定められたアプリケーションの機能を実行するための第１操作として判別する制御部を備える。制御部は、第１規定操作の実施を誘導可能な、第１画像内の第１アイコンを表示部に表示させる。制御部は、入力部からの出力信号に基づいて、第１規定操作が実施される前の行為として予め定義された第１行為が実施されたまたは実施中であると判定された場合に、第１画像内の第２アイコンを第１アイコンに変形することを行う。
【国際調査報告】
2015083264.tif 000031
2015083264.tif 000032
2015083264.tif 000033
2015083264.tif 000034